(57)【特許請求の範囲】
【請求項１】
ユーザ装置（ＵＥ）によるワイヤレス通信のための方法であって、
サブフレームのセット内で、方向が動的に適応され得ない１つ以上の固定サブフレームと、方向が動的に適応され得る１つ以上のフレキシブルサブフレームとを識別することと、
ダウンリンク送信方式を、ダウンリンクサブフレームとして使用される前記フレキシブルサブフレームのうちの１つにどのダウンリンク送信方式が使用されるかのインジケーションを備える、前記ＵＥに固有のシグナリングに基づいて決定することと、ここにおいて、
１つ以上のダウンリンク送信方式の第１のタイプが、前記固定サブフレームについて許され前記フレキシブルサブフレームについて許されないもので、前記第１のタイプは、ダウンリンク送信がセル固有の基準信号に基づく１つ以上のダウンリンク送信方式を備え、
１つ以上のダウンリンク送信方式の第２のタイプが、前記固定サブフレームおよび前記フレキシブルサブフレームについて許されるもので、前記第２のタイプは、ダウンリンク送信が復調基準信号に基づく１つ以上のダウンリンク送信方式を備える、
前記決定されたダウンリンク送信方式に対応して前記ダウンリンクサブフレームとして使用される前記フレキシブルサブフレームを処理することと、
を備える、方法。
【請求項２】
サブフレーム方向の前記動的な適応は、ダウンリンクサブフレームまたはアップリンクサブフレームのうちの１つから選ばれるサブフレーム方向を、ダウンリンクサブフレームまたはアップリンクサブフレームのうちの１つから選ばれる異なるサブフレーム方向へと変更することを含む、請求項１に記載の方法。
【請求項３】
前記１つ以上の固定サブフレームと前記１つ以上のフレキシブルサブフレームとを前記識別することは、ブロードキャストシグナリングとＵＥ固有のシグナリングとのうちの少なくとも１つに基づく、請求項１に記載の方法。
【請求項４】
ダウンリンク送信についてＵＥ固有の復調基準信号（ＤＭ−ＲＳ）を利用するダウンリンク送信方式を決定することをさらに備える、請求項１に記載の方法。
【請求項５】
物理ダウンリンク共有チャネル（ＰＤＳＣＨ）または改良された物理ダウンリンク制御チャネル（ＥＰＤＣＣＨ）のうちの少なくとも１つに関して、前記ダウンリンクサブフレームとして使用される前記サブフレーム中の開始シンボルを決定することをさらに備える、請求項１に記載の方法。
【請求項６】
前記１つ以上のフレキシブルサブフレームは、少なくとも２つの異なるサブフレームのタイプを備え、ここにおいて、１つのサブフレームのタイプは、前記１つ以上の固定サブフレームにあるようなセル固有の基準信号（ＣＲＳ）を有し、別のサブフレームのタイプは、低減されたＣＲＳを有するかまたはＣＲＳを有さない、請求項１に記載の方法。
【請求項７】
ユーザ装置（ＵＥ）であって、先行する請求項１−６のいずれかに従う方法を実行するために適応される、ＵＥ。
【請求項８】
基地局（ＢＳ）によるワイヤレス通信のための方法であって、
サブフレームのセット内で、方向が動的に適応され得ない１つ以上の固定サブフレームと、方向が動的に適応され得る１つ以上のフレキシブルサブフレームとを識別することと、
ダウンリンクサブフレームとして使用される前記フレキシブルサブフレームのうちの１つに使用するためのダウンリンク送信方式を決定することと、ここにおいて、
１つ以上のダウンリンク送信方式の第１のタイプが、前記固定サブフレームについて許され前記フレキシブルサブフレームについて許されないもので、前記第１のタイプは、ダウンリンク送信がセル固有の基準信号に基づく１つ以上のダウンリンク送信方式を備え、
１つ以上のダウンリンク送信方式の第２のタイプが、前記固定サブフレームおよび前記フレキシブルサブフレームについて許されるもので、前記第２のタイプは、ダウンリンク送信が復調基準信号に基づく１つ以上のダウンリンク送信方式を備える、
前記ダウンリンクサブフレームとして使用される前記フレキシブルサブフレームのうちの１つにどの決定されたダウンリンク送信方式が使用されるかのインジケーションを備えるＵＥ固有のシグナリングを送信することと、
前記決定されたダウンリンク送信方式に対応して前記ダウンリンクサブフレームとして使用される前記フレキシブルサブフレームを処理することと、
を備える、方法。
【請求項９】
サブフレーム方向の前記動的な適応は、ダウンリンクサブフレームまたはアップリンクサブフレームのうちの１つから選ばれるサブフレーム方向を、ダウンリンクサブフレームまたはアップリンクサブフレームのうちの１つから選ばれる異なるサブフレーム方向へと変更することを含む、請求項８に記載の方法。
【請求項１０】
前記サブフレームのセット内で、前記１つ以上の固定サブフレームと前記１つ以上のフレキシブルサブフレームとを識別するシグナリングを送信することをさらに備える、請求項８に記載の方法。
【請求項１１】
ダウンリンク送信についてＵＥ固有の復調基準信号（ＤＭ−ＲＳ）を利用するダウンリンク送信方式を決定することをさらに備える、請求項８に記載の方法。
【請求項１２】
物理ダウンリンク共有チャネル（ＰＤＳＣＨ）または改良された物理ダウンリンク制御チャネル（ＥＰＤＣＣＨ）のうちの少なくとも１つに関して、前記ダウンリンクサブフレームとして使用される前記サブフレーム中の開始シンボルを決定することをさらに備える、請求項８に記載の方法。
【請求項１３】
基地局（ＢＳ）であって、先行する請求項８−１２のいずれかに従う方法を実行するために適応される、ＢＳ。
【発明の詳細な説明】
【関連出願の相互参照】
【０００１】
[0001]  本特許出願は、本出願の譲受人に譲渡され、２０１３年５月１０日に出願された米国仮出願第６１／８２１，８８２号への優先権を主張するもので、その全体が参照によりここに明確に組み込まれる。
【技術分野】
【０００２】
[0002]  本開示のある特定の複数の態様は、一般にワイヤレス通信に関し、より具体的には、ロングタームエボリューション（ＬＴＥ）におけるトラフィック適応のための改良された干渉管理（ｅＩＭＴＡ：enhanced interference management for traffic adaptation）に関する効率的なダウンリンク（ＤＬ）動作のための技法に関する。
【背景技術】
【０００３】
[0003]  ワイヤレス通信ネットワークは、ボイス、ビデオ、パケットデータ、メッセージング、ブロードキャスト等の様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよび単一キャリアＦＤＭＡ（ＳＣ−ＦＤＭＡ）ネットワークを含む。
【０００４】
[0004]  ワイヤレス通信ネットワークは、多数のユーザ装置（ＵＥ）のための通信をサポートできる多数の基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]  基地局は、ＵＥにダウンリンク上でデータおよび制御情報を送信し得、および／またはＵＥからアップリンク上でデータおよび制御情報を受信し得る。ダウンリンク上では、基地局からの送信が、隣接基地局からの送信による干渉を観測することがある。アップリンク上では、ＵＥからの送信が、隣接基地局と通信している他のＵＥからの送信への干渉の原因になることがある。干渉は、ダウンリンクとアップリンクの両方において性能を低下させ得る。
【発明の概要】
【０００６】
[0006]  本開示のある特定の複数の態様は、ユーザ装置（ＵＥ）によるワイヤレス通信の方法を提供する。この方法は、一般に、あるサブフレームのセット内で、アップリンク通信またはダウンリンク通信の何れか一方専用の（dedicated for）１つ以上の固定サブフレーム（fixed subframe）と、アップリンク通信またはダウンリンク通信の何れか一方のために動的に管理され得る１つ以上のフレキシブルサブフレームとを識別することと、ダウンリンクサブフレームとして使用されるフレキシブルサブフレームのうちの１つのために使用されるダウンリンク送信モードを決定することと、決定されたダウンリンク送信モードに従ってダウンリンクサブフレームとして使用されるフレキシブルサブフレームを処理することとを含む。
【０００７】
[0007]  本開示のある特定の複数の態様は、ユーザ装置（ＵＥ）によるワイヤレス通信の方法を提供する。この方法は、一般に、あるサブフレームのセット内で、アップリンク通信またはダウンリンク通信の何れか一方専用の１つ以上の固定サブフレームと、アップリンク通信またはダウンリンク通信の何れか一方のために動的に管理され得る１つ以上のフレキシブルサブフレームとを識別することと、ダウンリンクサブフレームとして使用されるフレキシブルサブフレームのうちの１つのために使用されるダウンリンク送信モードを決定することと、決定されたダウンリンク送信モードに従ってダウンリンクサブフレームとして使用されるフレキシブルサブフレームを処理することとを含む。
【０００８】
[0008]  本開示のある特定の複数の態様は、ユーザ装置（ＵＥ）によるワイヤレス通信の方法を提供する。この方法は、一般に、あるサブフレームのセット内で、それらの方向が動的に適応されない可能性がある１つ以上の固定サブフレームと、それらの方向が動的に適応され得る１つ以上のフレキシブルサブフレームとを識別することと、１つ以上のフレキシブルサブフレーム中の少なくとも１つのサブフレームについての構造が、マルチメディアブロードキャスト単一周波数ネットワーク（ＭＢＳＦＮ：Multimedia Broadcast Single Frequency Network）サブフレームに基づくことを決定することと、その決定に基づいて、１つ以上のフレキシブルサブフレーム中の少なくとも１つのサブフレームを処理することとを含む。
【０００９】
[0009]  本開示のある特定の複数の態様は、基地局（ＢＳ）によるワイヤレス通信の方法を提供する。この方法は、一般に、あるサブフレームのセット内で、アップリンク通信またはダウンリンク通信の何れか一方専用の１つ以上の固定サブフレームと、アップリンク通信またはダウンリンク通信の何れか一方のために動的に管理され得る１つ以上のフレキシブルサブフレームとを識別することと、フレキシブルサブフレームのうちの少なくとも１つを使用して、マルチメディアブロードキャスト単一周波数ネットワーク（ＭＢＳＦＮ）サブフレームを送信することと、ＭＢＳＦＮサブフレームとして使用されるフレキシブルサブフレームのフォーマットに少なくとも一部基づいて、マルチキャスト制御チャネル（ＭＣＣＨ）への変更を示すこととを含む。
【００１０】
[0010]  本開示のある特定の複数の態様は、基地局（ＢＳ）によるワイヤレス通信の方法を提供する。この方法は、一般に、あるサブフレームのセット内で、アップリンク通信またはダウンリンク通信の何れか一方専用の１つ以上の固定サブフレームと、アップリンク通信またはダウンリンク通信の何れか一方のために動的に管理され得る１つ以上のフレキシブルサブフレームとを識別することと、ダウンリンクサブフレームとして使用されるフレキシブルサブフレームのうちの１つのために使用されることになるダウンリンク送信モードを決定することと、決定されたダウンリンク送信モードに従ってダウンリンクサブフレームとして使用されるフレキシブルサブフレーム中で送信することを含む。
【００１１】
[0011]  本開示のある特定の複数の態様は、基地局（ＢＳ）によるワイヤレス通信の方法を提供する。この方法は、一般に、あるサブフレームのセット内で、それらの方向が動的に適応されない可能性がある１つ以上の固定サブフレームと、それらの方向が動的に適応され得る１つ以上のフレキシブルサブフレームとを識別することと、１つ以上のフレキシブルサブフレーム中の少なくとも１つのサブフレームについての構造が、マルチメディアブロードキャスト単一周波数ネットワーク（ＭＢＳＦＮ）サブフレームに基づくことを決定することと、その決定に基づいて、１つ以上のフレキシブルサブフレーム中の少なくとも１つのサブフレームを処理することとを含む。
【００１２】
[0012]  本開示のある特定の複数の態様はまた、上述した方法に対応する様々な装置およびプログラム製品を提供する。
【図面の簡単な説明】
【００１３】
【図１】図１は、本開示のある特定の複数の態様による、ワイヤレス通信ネットワークの例を概念的に例示するブロック図である。
【図２】図２は、本開示のある特定の複数の態様による、ワイヤレス通信ネットワークにおけるフレーム構造の例を概念的に例示するブロック図である。
【図２Ａ】図２Ａは、本開示のある特定の複数の態様による、ロングタームエボリューション（ＬＴＥ）におけるアップリンクのための例示的なフォーマットを示す。
【図３】図３は、本開示のある特定の複数の態様による、ワイヤレス通信ネットワークにおけるユーザ装置デバイス（ＵＥ）と通信しているノードＢの例を概念的に例示するブロック図である。
【図４】図４は、本開示のある特定の複数の態様による、標準的なサイクリックプリフィックスの場合についてＲｅｌ−１０に定義されたＤＭＲＳパターンを例示する。
【図５】図５は、本開示のある特定の複数の態様による、ＬＴＥフレームにおけるＰＳＳ、ＳＳＳおよびＰＢＣＨについてのリソース構成を例示する。
【図６】図６は、本開示のある特定の複数の態様による、ＤＬおよびＵＬサブフレーム構成を例示する。
【図７】図７は、本開示のある特定の複数の態様による、ユーザ装置（ＵＥ）によって実行され得るワイヤレス通信のための例示的な動作を例示する。
【図８】図８は、本開示のある特定の複数の態様による、ユーザ装置（ＵＥ）によって実行され得るワイヤレス通信のための例示的な動作を例示する。
【図９】図９は、本開示のある特定の複数の態様による、ユーザ装置（ＵＥ）によって実行され得るワイヤレス通信動作のための例を例示する。
【図１０】図１０は、本開示のある特定の複数の態様による、基地局（ＢＳ）によって実行され得るワイヤレス通信のための例示的な動作を例示する。
【図１１】図１１は、本開示のある特定の複数の態様による、基地局（ＢＳ）によって実行され得るワイヤレス通信のための例示的な動作を例示する。
【図１２】図１２は、本開示のある特定の複数の態様による、基地局（ＢＳ）によって実行され得るワイヤレス通信のための例示的な動作を例示する。
【発明を実施するための形態】
【００１４】
[0026]  ここに説明された技術は、ＣＤＭＡ、ＴＤＭＡ、ＦＤＭＡ、ＯＦＤＭＡ、ＳＣ−ＦＤＭＡおよび他のネットワークのような様々なワイヤレス通信ネットワークのために使用され得る。「ネットワーク」および「システム」という用語は、しばしば交換可能に使用される。ＣＤＭＡネットワークは、ユニバーサル地上無線アクセス（ＵＴＲＡ）、ｃｄｍａ２０００等のような無線技術を実現し得る。ＵＴＲＡは、広帯域ＣＤＭＡ（Ｗ−ＣＤＭＡ（登録商標））およびＣＤＭＡの他の変形を含む。ｃｄｍａ２０００は、ＩＳ−２０００、ＩＳ−９５およびＩＳ−８５６規格をカバーする。ＴＤＭＡネットワークは、移動通信のためのグローバルシステム（ＧＳＭ（登録商標））のような無線技術を実現し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ等のような無線技術を実現し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に説明されている。ｃｄｍａ２０００およびＵＭＢは、「第３世代パートナーシッププロジェクト２」（３ＧＰＰ２）と呼ばれる団体からの文書に説明されている。ここで説明する技法は、上で言及したワイヤレスネットワークおよび無線技術、ならびに他のワイヤレスネットワークおよび無線技術に使用され得る。明瞭さのために、これらの技法のある特定の複数の態様は、以下ではＬＴＥ／ＬＴＥ−Ａについて説明されており、ＬＴＥ／ＬＴＥ−Ａの専門用語が以下の説明の大部分で使用される。
例示的なワイヤレスネットワーク
[0027]  図１は、ワイヤレス通信ネットワーク１００を示し、これはＬＴＥネットワークであり得る。ワイヤレスネットワーク１００は、多数の発展型ノードＢ（ｅＮＢ）１１０と他のネットワークエンティティとを含み得る。ｅＮＢは、ユーザ装置デバイス（ＵＥ）と通信する局であり得、基地局、ノードＢ、アクセスポイント等とも呼ばれ得る。各ｅＮＢ１１０は、特定の地理的エリアについての通信カバレッジを提供し得る。３ＧＰＰで、「セル」という用語は、その用語が使用されるコンテキストに応じて、ｅＮＢのカバレッジエリア、および／またはこのカバレッジエリアにサービス提供するｅＮＢサブシステムを指すことができる。
【００１５】
[0028]  ｅＮＢは、マクロセル、ピコセル、フェムトセル、および／または他のタイプのセルに対して通信カバレッジを提供し得る。マクロセルは、比較的広い地理的エリア（例えば、半径数キロメートル）をカバーし得、サービスに加入しているＵＥ（UEs with service subscription）による無制限のアクセスを可能にし得る。ピコセルは、比較的狭い地理的エリアをカバーし得、サービスに加入しているＵＥによる無制限のアクセスを可能にし得る。フェムトセルは、比較的狭い地理的エリア（例えば、住居）をカバーし得、このフェムトセルとの関連を有するＵＥ（例えば、限定加入者グループ（ＣＳＧ：Closed Subscriber Group）内のＵＥ、住居内のユーザ向けのＵＥ等）による制限されたアクセスを可能にし得る。マクロセルのためのｅＮＢは、マクロｅＮＢ（すなわち、マクロ基地局）と呼ばれ得る。ピコセルのためのｅＮＢは、ピコｅＮＢ（すなわち、ピコ基地局）と呼ばれ得る。フェムトセルのためのｅＮＢは、フェムトｅＮＢ（すなわち、フェムト基地局）またはホームｅＮＢと呼ばれ得る。図１に示す例では、ｅＮＢ１１０ａ、１１０ｂ、および１１０ｃが、それぞれマクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。１つのｅＮＢは、１つまたは複数（例えば、３つ）のセルをサポートし得る。
【００１６】
[0029]  ワイヤレスネットワーク１００はまた、中継局を含み得る。中継局は、アップストリーム局（例えば、ｅＮＢまたはＵＥ）からデータおよび／または他の情報の送信を受信し、ダウンストリーム局（例えば、ＵＥまたはｅＮＢ）にデータおよび／または他の情報の送信を送る局である。中継局はまた、他のＵＥのための送信を中継するＵＥ（例えば、ＵＥ中継局）でもあり得る。図１に示す例では、中継局１１０ｒが、ｅＮＢ１１０ａとＵＥ１２０ｒとの間の通信を容易にするために、ｅＮＢ１１０ａおよびＵＥ１２０ｒと通信し得る。中継局はまた、中継ｅＮＢ、中継器（relay）等とも称され得る。
【００１７】
[0030]  ワイヤレスネットワーク１００は、異なるタイプのｅＮＢ、例えば、マクロｅＮＢ、ピコｅＮＢ、フェムトｅＮＢ、中継器等を含む異種ネットワーク（ＨｅｔＮｅｔ）であり得る。これらの異なるタイプのｅＮＢは、ワイヤレスネットワーク１００において、干渉に対する異なる影響、異なるカバレッジエリア、および異なる送信電力レベルを有し得る。例えば、マクロｅＮＢは、高い送信電力レベル（例えば、２０ワット）を有し得るのに対して、ピコｅＮＢ、フェムトｅＮＢ、および中継器は、より低い送信電力レベル（例えば、１ワット）を有し得る。
【００１８】
[0031]  ワイヤレスネットワーク１００は、同期動作または非同期動作をサポートし得る。同期動作の場合、ｅＮＢは同様のフレームタイミングを有し得、異なるｅＮＢからの送信は、時間的にほぼアラインされ得る（aligned in time）。非同期動作の場合、ｅＮＢは異なるフレームタイミングを有し、異なるｅＮＢからの送信は、時間的にアラインされない可能性がある。ここで説明される技法は、同期動作と非同期動作の両方について使用され得る。
【００１９】
[0032]  ネットワークコントローラ１３０は、ｅＮＢのセットに結合し、これらのｅＮＢに対して協調（coordination）および制御を提供し得る。ネットワークコントローラ１３０は、バックホール（backhaul）を介してｅＮＢ１１０と通信し得る。ｅＮＢ１１０はまた、例えば、ワイヤレスまたは有線バックホールを介して間接的または直接的に互いに通信し得る。
【００２０】
[0033]  ＵＥ１２０（例えば、１２０ｘ、１２０ｙ）は、ワイヤレスネットワーク１００全体に分散されている可能性があり、各ＵＥは固定式（stationary）またはモバイル（mobile）であり得る。ＵＥは、端末、モバイル局、加入者ユニット、局等とも呼ばれ得る。ＵＥは、セルラー電話、スマートフォン、携帯情報端末（ＰＤＡ）、ワイヤレスモデム、ワイヤレス通信デバイス、ハンドヘルドデバイス、ラップトップ／ノートブックコンピュータ、コードレス電話、ワイヤレスローカルループ（ＷＬＬ）局、タブレット等であり得る。ＵＥは、マクロｅＮＢ、ピコｅＮＢ、フェムトｅＮＢ、中継器等と通信することが可能であり得る。図１では、両矢印付きの実線が、ＵＥとサービングｅＮＢとの間の所望の送信を示し、このサービングｅＮＢが、ダウンリンクおよび／またはアップリンク上でそのＵＥにサービス提供するように指定されたｅＮＢである。両矢印付きの破線は、ＵＥとｅＮＢとの間の干渉している送信（interfering transmission）を示す。いくつかの態様について、ＵＥはＬＴＥリリース１０  ＵＥ（Release 10 UE）を含み得る。
【００２１】
[0034]  ＬＴＥは、ダウンリンク上では直交周波数分割多重化（ＯＦＤＭ）を利用し、アップリンク上では単一キャリア周波数分割多重化（ＳＣ−ＦＤＭ）を利用する。ＯＦＤＭおよびＳＣ−ＦＤＭは、システム帯域幅を複数（Ｋ個）の直交サブキャリアに区分し、これらはまた、通常トーン、ビン等と称される。各サブキャリアは、データで変調され得る。一般的に、変調シンボルは、ＯＦＤＭでは周波数ドメインにおいて、およびＳＣ−ＦＤＭでは時間ドメインにおいて送られる。隣り合ったサブキャリア間の間隔は一定であり得、サブキャリアの総数（Ｋ）はこのシステム帯域幅に依存し得る。例えば、Ｋは、１．２５、２．５、５、１０、または２０メガヘルツ（ＭＨｚ）のシステム帯域幅についてそれぞれ１２８、２５６、５１２、１０２４、または２０４８に等しい可能性がある。システム帯域幅はまた、複数のサブバンドに区分され得る。例えば、１つのサブバンドは１．０８ＭＨｚをカバーし得、１．２５、２．５、５、１０、または２０ＭＨｚのシステム帯域幅についてそれぞれ１つ、２つ、４つ、８つ、または１６個のサブバンドがあり得る。
【００２２】
[0035]  図２は、ＬＴＥで使用されるフレーム構造を示す。ダウンリンク用の送信タイムラインは、無線フレームの単位に区分され得る。各無線フレームは、所定の持続時間（例えば、１０ミリ秒（ｍｓ））を有し得、０〜９のインデックスを有する１０個のサブフレームに区分され得る。各サブフレームは２つのスロットを含み得る。したがって、各無線フレームは、０〜１９のインデックスを有する２０個のスロットを含み得る。各スロットは、Ｌ個のシンボル期間、例えば、（図２に示すように）標準的なサイクリックプリフィックスについてはＬ＝７個のシンボル期間、または拡張されたサイクリックプリフィックスについてはＬ＝６個のシンボル期間を含み得る。各サブフレーム中の２Ｌ個のシンボル期間は、０〜２Ｌ−１のインデックスを割り当てられ得る。利用可能な時間周波数リソースは、複数のリソースブロックに区分され得る。各リソースブロックは、１つのスロットにおいてＮ個のサブキャリア（例えば、１２個のサブキャリア）をカバーし得る。
【００２３】
[0036]  ＬＴＥでは、ｅＮＢが、このｅＮＢ中の各セルのためにプライマリ同期信号（ＰＳＳ）およびセカンダリ同期信号（ＳＳＳ）を送り得る。プライマリおよびセカンダリ同期信号は、図２に示されるように、標準的なサイクリックプリフィックスを有する各無線フレームのサブフレーム０および５の各々で、シンボル期間６および５においてそれぞれ送られ得る。これらの同期信号は、セル検出および獲得のためにＵＥによって使用され得る。ｅＮＢは、サブフレーム０のスロット１におけるシンボル期間０〜３において、物理ブロードキャストチャネル（ＰＢＣＨ：Physical Broadcast Channel）を送り得る。ＰＢＣＨは、ある特定のシステム情報を搬送し得る。
【００２４】
[0037]  ｅＮＢは、図２に示すように、各サブフレームの最初のシンボル期間において物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を伝達する（convey）ことができ、ここで、Ｍは、１、２、または３に等しい可能性があり、サブフレームごとに変わり得る。Ｍはまた、例えば１０個未満のリソースブロックを有する狭いシステム帯域幅については、４に等しいことができる。ｅＮＢは、（図２には図示されていない）各サブフレームの最初のＭ個のシンボル期間において、物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割り振りに関する情報と、ダウンリンクチャネルのための制御情報とを搬送し得る。ｅＮＢは、各サブフレームの残りのシンボル期間において物理ダウンリンク共有チャネル（ＰＤＳＣＨ）を送り得る。ＰＤＳＣＨは、ダウンリンク上でのデータ送信をスケジュールされたＵＥのためのデータを搬送し得る。ＬＴＥにおける様々な信号およびチャネルは、「発展型ユニバーサル地上無線アクセス（ＥーＵＴＲＡ）；物理チャネルおよび変調（Evolved Universal Terrestrial Radio Access (E-UTRA); Physical Channels and Modulation）」と題された、３ＧＰＰ  ＴＳ３６．２１１に説明されており、これは公に入手可能である。
【００２５】
[0038]  ｅＮＢは、ｅＮＢによって使用されるシステム帯域幅の中心の１．０８ＭＨｚで（in the center 1.08 MHz）ＰＳＳ、ＳＳＳ、およびＰＢＣＨを送り得る。ｅＮＢは、ＰＣＦＩＣＨおよびＰＨＩＣＨを、これらのチャネルが送られる各シンボル期間において、システム帯域幅全体にわたって送り得る。ｅＮＢは、システム帯域幅のある特定の部分において複数のグループのＵＥ（groups of UEs）にＰＤＣＣＨを送り得る。ｅＮＢは、システム帯域幅の特定の部分において特定のＵＥにＰＤＳＣＨを送り得る。ｅＮＢは、ＰＳＳ、ＳＳＳ、ＰＢＣＨ、ＰＣＦＩＣＨおよびＰＨＩＣＨを、すべてのＵＥにブロードキャスト方式で送り得、ＰＤＣＣＨを特定のＵＥにユニキャスト方式で送り得、そしてまたＰＤＳＣＨを特定のＵＥにユニキャスト方式で送り得る。
【００２６】
[0039]  多数のリソース要素が、各シンボル期間で利用可能であり得る。各リソース要素は、１つのシンボル期間における１つのサブキャリアをカバーし得、１つの変調シンボルを送るために使用され得、それは、実数値または複素数値（real or complex value）であり得る。各シンボル期間において基準信号に使用されない複数のリソース要素は、複数のリソース要素グループ（ＲＥＧ）にアレンジ（arranged into）され得る。各ＲＥＧは、１つのシンボル期間における４つのリソース要素を含み得る。ＰＣＦＩＣＨは、４つのＲＥＧを占有し得、それらは、シンボル期間０において、周波数にわたってほぼ均等に間隔をあけられ得る。ＰＨＩＣＨは、３つのＲＥＧを占有し得、それらは、１つ以上の設定可能な（configurable）シンボル期間において、周波数にわたって分散され得る。例えば、ＰＨＩＣＨのための３つのＲＥＧは、すべてシンボル期間０に属し得るか、またはシンボル期間０、１および２において分散され得る。ＰＤＣＣＨは、９、１８、３２、または６４個のＲＥＧを占有し得、それらは、最初のＭ個のシンボル期間において、利用可能なＲＥＧから選択され得る。ＲＥＧのある特定の組み合わせのみが、ＰＤＣＣＨについて許され（allowed for）得る。
【００２７】
[0040]  ＵＥは、ＰＨＩＣＨおよびＰＣＦＩＣＨのために使用される特定のＲＥＧを知り（know）得る。ＵＥは、ＰＤＣＣＨのためのＲＥＧの複数の異なる組み合わせをサーチし得る。サーチする組み合わせの数は、通常ＰＤＣＣＨについて許された組み合わせ（allowed combinations for）の数よりも少ない。ｅＮＢは、ＵＥがサーチすることになる複数の組み合わせのうちの何れにおいても、ＵＥにＰＤＣＣＨを送り得る。
【００２８】
[0041]  図２Ａは、ＬＴＥにおけるアップリンクのための例示的なフォーマット２００Ａを示す。アップリンクについて使用可能なリソースブロックは、データセクションと制御セクションとに区分され得る。制御セクションは、システム帯域幅の２つの端に形成され得、設定可能なサイズを有し得る。制御セクションにおけるリソースブロックは、制御情報の送信のためにＵＥに割り当てられ得る。データセクションは、制御セクションに含まれないすべてのリソースブロックを含み得る。図２Ａの設計は、連続的なサブキャリアを含むデータセクションをもたらし、それは、データセクション中の連続的なサブキャリアのすべてが単一のＵＥに割り当てられることを可能にし得る。
【００２９】
[0042]  ＵＥは、ｅＮＢに制御情報を送信するために、制御セクションにおけるリソースブロックを割り当てられ得る。ＵＥはまた、ｅＮＢにデータを送信するために、データセクションにおけるリソースブロックを割り当てられ得る。ＵＥは、制御セクション内の割り当てられたリソースブロック上の物理アップリンク制御チャネル（ＰＵＣＣＨ：Physical Uplink Control Channel）２１０ａ、２１０ｂにおいて制御情報を送信し得る。ＵＥは、データセクション中の割り当てられたリソースブロック上の物理アップリンク共有チャネル（ＰＵＳＣＨ）２２０ａ、２２０ｂにおいて、データと制御情報の両方か、またはデータのみを送信し得る。アップリンク送信は、図２Ａに示すように、サブフレームの両方のスロットにわたり得、周波数全体にわたってホッピングし得る。
【００３０】
[0043]  １つのＵＥが複数のｅＮＢのカバレッジ内に存在し得る。これらｅＮＢのうちの１つが、そのＵＥにサービス提供するために選択され得る。サービングｅＮＢは、受信電力、経路損失、信号対雑音比（ＳＮＲ）等のような様々な基準に基づいて選択され得る。
【００３１】
[0044]  ＵＥは、ＵＥが１つ以上の干渉ｅＮＢ（interfering eNB）からの大きな干渉を観測し得る支配的干渉状況（dominant interference scenario）において動作し得る。支配的干渉状況は、制限された関連付け（restricted association）に起因して発生し得る。例えば、図１では、ＵＥ１２０ｙが、フェムトｅＮＢ１１０ｙの近くにあり得、ｅＮＢ１１０ｙについて高い受信電力を有し得る。しかしながら、ＵＥ１２０ｙは、制限された関連付けに起因してフェムトｅＮＢ１１０ｙにアクセスすることができない可能性があり、すると、（図１に示されるように）より低い受信電力を有するマクロｅＮＢ１１０ｃか、あるいは（図１に図示されていないが）これまたより低い受信電力を有するフェムトｅＮＢ１１０ｚに接続し得る。するとＵＥ１２０ｙは、ダウンリンク上でフェムトｅＮＢ１１０ｙからの高い干渉を観測し得、およびアップリンク上でｅＮＢ１１０ｙに対して高い干渉を引き起こし得る。
【００３２】
[0045]  支配的干渉状況はまた、範囲拡張（range extension）に起因しても発生し得、これは、ＵＥが、ＵＥによって検出されたすべてのｅＮＢのうち、より低い経路損失とより低いＳＮＲとを備えたｅＮＢに接続する状況である。例えば、図１では、ＵＥ１２０ｘが、マクロｅＮＢ１１０ｂとピコｅＮＢ１１０ｘとを検出し得、ｅＮＢ１１０ｘについて、ｅＮＢ１１０ｂよりも低い受信電力を有し得る。とはいえ、ｅＮＢ１１０ｘの経路損失がマクロｅＮＢ１１０ｂの経路損失よりも低い場合は、ＵＥ１２０ｘはピコｅＮＢ１１０ｘに接続することが望ましい可能性がる。これにより、ＵＥ１２０ｘに関する所与のデータレートについてワイヤレスネットワークへの干渉が少なくなり得る。
【００３３】
[0046]  ある特定の複数の態様によると、支配的干渉状況における通信は、異なるｅＮＢを異なる周波数帯域上で動作させることによってサポートされ得る。周波数帯域は、通信のために使用され得る周波数の範囲であり、（ｉ）中心周波数および帯域幅、または（ｉｉ）低いほうの周波数（lower frequency）および高いほうの周波数（upper frequency）によって与えられ得る。周波数帯域はまた、帯域、周波数チャネル等とも呼ばれ得る。異なるｅＮＢのための複数の周波数帯域は、強いｅＮＢがそれのＵＥと通信することを可能にしながら、あるＵＥが支配的干渉状況においてより弱いｅＮＢと通信できるように選択され得る。ｅＮＢは、ＵＥにおいて受信されるｅＮＢからの信号の受信電力に基づいて（ｅＮＢの送信電力レベルには基づかずに）「弱い」ｅＮＢまたは「強い」ｅＮＢとして分類され得る。
【００３４】
[0047]  図３は、基地局またはｅＮＢ１１０とＵＥ１２０の設計のブロック図であり、それらは、図１における複数の基地局／ｅＮＢのうちの１つ、および複数のＵＥのうちの１つ、であり得る。制限された関連付け状況について、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０は、Ｔ個のアンテナ３３４ａ〜３３４ｔを備え得、ＵＥ１２０は、Ｒ個のアンテナ３５２ａ〜３５２ｒを備え得、一般にここでＴ≧１およびＲ≧１である。
【００３５】
[0048]  ｅＮＢ１１０において、送信プロセッサ３２０は、データソース３１２からデータを受け取り、コントローラ／プロセッサ３４０から制御情報を受け取り得る。制御情報は、ＰＢＣＨ、ＰＣＦＩＣＨ、ＰＨＩＣＨ、ＰＤＣＣＨ等のためのものであり得る。データは、ＰＤＳＣＨ等のためのものであり得る。送信プロセッサ３２０は、データと制御情報とを処理（例えば、符号化およびシンボルマッピング）して、データシンボルと制御シンボルとをそれぞれ取得し得る。送信プロセッサ３２０はまた、例えば、ＰＳＳ、ＳＳＳ、およびセル固有の基準信号について、基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（例えば、プリコーディング）を実行し得、Ｔ個の出力シンボルストリームをＴ個の変調器（ＭＯＤ）３３２ａ〜３３２ｔに提供し得る。各変調器３３２は、（例えば、ＯＦＤＭ等のために）それぞれの出力シンボルストリームを処理して、出力サンプルストリームを取得し得る。各変調器３３２はさらに、出力サンプルストリームを処理（例えば、アナログへ変換、増幅、フィルタ、およびアップコンバート）して、ダウンリンク信号を取得し得る。変調器３３２ａ〜３３２ｔからのＴ個のダウンリンク信号は、それぞれＴ個のアンテナ３３４ａ〜３３４ｔを介して送信され得る。
【００３６】
[0049]  ＵＥ１２０において、アンテナ３５２ａ〜３５２ｒは、ｅＮＢ１１０からダウンリンク信号を受信し得、受信された信号を復調器（ＤＥＭＯＤ）３５４ａ〜３５４ｒにそれぞれ提供し得る。各復調器３５４は、それぞれの受信された信号を調整（例えば、フィルタ、増幅、ダウンコンバート、およびデジタル化）して、入力サンプルを取得し得る。各復調器３５４はさらに、（例えば、ＯＦＤＭ等のために）入力サンプルを処理して、受信シンボルを取得し得る。ＭＩＭＯ検出器３５６は、Ｒ個の復調器３５４ａ〜３５４ｒのすべてから受信シンボルを取得し、適用可能な場合、受信シンボルに対してＭＩＭＯ検出を実行し、検出されたシンボルを提供し得る。受信プロセッサ３５８は、検出されたシンボルを処理（例えば、復調、デインタリーブ、および復号）し、データシンク３６０にＵＥ１２０のための復号されたデータを提供し、コントローラ／プロセッサ３８０に復号された制御情報を提供し得る。
【００３７】
[0050]  アップリンクでは、ＵＥ１２０において、送信プロセッサ３６４が、データソース３６２から（例えば、ＰＵＳＣＨのための）データを、コントローラ／プロセッサ３８０から（例えば、ＰＵＣＣＨのための）制御情報を受け取り、処理し得る。送信プロセッサ３６４はまた、基準信号のための基準シンボルを生成し得る。送信プロセッサ３６４からのシンボルは、適用可能な場合、ＴＸ  ＭＩＭＯプロセッサ３６６によってプリコーディングされ、さらに（例えば、ＳＣ−ＦＤＭ等のために）変調器３５４ａ〜３５４ｒによって処理され、ｅＮＢ１１０に送信され得る。ｅＮＢ１１０において、ＵＥ１２０からのアップリンク信号は、アンテナ３３４によって受信され、復調器３３２によって処理され、適用可能な場合、ＭＩＭＯ検出器３３６によって検出され、さらに受信プロセッサ３３８によって処理されて、ＵＥ１２０によって送られた復号されたデータおよび制御情報が取得され得る。受信プロセッサ３３８は、復号されたデータをデータシンク３３９に提供し、復号された制御情報をコントローラ／プロセッサ３４０に提供し得る。
【００３８】
[0051]  コントローラ／プロセッサ３４０および３８０は、それぞれｅＮＢ１１０およびＵＥ１２０における動作を指示し得る。ｅＮＢ１１０におけるコントローラ／プロセッサ３４０、受信プロセッサ３３８、および／または他のプロセッサとモジュールは、図７、８、９、１０、１１、１２における動作８００、および／またはここで説明された技法についての他の処理を実行または指示し得る。メモリ３４２および３８２は、それぞれｅＮＢ１１０およびＵＥ１２０のためのデータおよびプログラムコードを記憶し得る。スケジューラ３４４は、ダウンリンクおよび／またはアップリンク上のデータ送信をＵＥにスケジュールし得る。ｅＮＢ１１０は、静的リソース区分情報（ＳＰＲＩ：static resource partitioning information）３９０をＵＥ１２０へ送信し得る。ＵＥ１２０は、サウンディング基準信号（ＳＲＳ）３９２をｅＮＢ１１０へ送信し得る。
ＥＰＤＣＣＨのための例示的なリソース割り振り
[0052]  既存のワイヤレス通信システム（例えば、いわゆる「レガシー」ＬＴＥ  Ｒｅｌ−８／９／１０システム）では、ＰＤＣＣＨが、ＬＴＥサブフレームの最初のいくつかのシンボルに位置する。ＰＤＣＣＨは、一般に、サブフレームの帯域幅全体にわたって分配され、ＰＤＳＣＨと共に時分割多重される。言い換えれば、サブフレームは制御領域とデータ領域とに効率的に分割され、ＰＤＣＣＨは、制御領域の最初のいくつかのシンボルを占有する。
【００３９】
[0053]  改良されたＰＤＣＣＨ（ＥＰＤＣＣＨ）は、例えば、レガシーＰＤＣＣＨを補完またはそれに取って代わり得る非レガシーシステム（例えば、Ｒｅｌ−１２）に定義され得る。それが送信されるサブフレームの制御領域を占有するレガシーＰＤＣＣＨとは異なり、ＥＰＤＣＣＨは一般に、レガシーＰＤＳＣＨと同様に、サブフレームのデータ領域を占有する。言い換えれば、ＥＰＤＣＣＨ領域は、従来の／レガシーＰＤＳＣＨ領域を占有するものと定義され得る。ＥＰＤＣＣＨ領域は、複数の連続的なまたは非連続的なリソースブロック（ＲＢ）から成り得、これらのＲＢ内でＯＦＤＭシンボルのサブセットを占有し得る。
【００４０】
[0054]  ネットワークによるＥＰＤＣＣＨの使用は、レガシーＰＤＣＣＨの使用に勝るいくつかの利点を有し得る。例えば、ＥＰＤＣＣＨの使用は、例えば制御チャネル容量を増加させ、レガシーＰＤＣＣＨ）の容量を増し、周波数ドメインセル間干渉除去（ＩＣＩＣ：Inter-Cell Interference Cancellation）をサポートし、制御チャネルリソースの改善された空間的再使用を達成し、ビームフォーミングおよび／またはダイバーシチをサポートし、新しいキャリアタイプ（ＮＣＴ：New Carrier Type）（例えば、Ｒｅｌ−１２およびその後のもの）で、ならびにマルチキャストブロードキャスト単一周波数ネットワーク（ＭＢＳＦＮ）サブフレームにおいて、動作し、および／またはレガシーＵＥと同じキャリア上で共存し得る。
【００４１】
[0055]  ある特定の複数の態様によれば、ＵＥ固有の復調基準信号（ＤＭＲＳ：demodulation reference signal）は、ＰＤＳＣＨおよびＥＰＤＣＣＨのコヒーレントな復調のためのダウンリンクチャネル推定ために使用され得る。例えば、サブフレーム内でダウンリンク送信を受信するようにスケジュールされたＵＥは、そのサブフレームの間に受信されたＤＭＲＳに基づいてそのサブフレーム内のチャネルコンディションを推定し、次に受信されたＤＭＲＳに基づいてそのサブフレーム内で受信されたＰＤＳＣＨまたはＥＰＤＣＣＨを復調し得る。
【００４２】
[0056]  ある特定の複数の態様によれば、ＰＤＳＣＨおよびＥＰＤＣＣＨについて良好なチャネル推定を提供するために、ＰＤＳＣＨまたはＥＰＤＣＣＨを搬送する各ＲＢは、そのＲＢ内に良好なチャネル推定のために十分なＤＭＲＳを含み得る。例えば、ｅＮＢは、あるＲＢ内でＵＥへＰＤＳＣＨを送信し、そのＲＢ内の１２個のリソース要素上でＤＭＲＳを送信し得る。その同じｅＮＢは、ＲＢを使用した何れのダウンリンク送信もスケジュールされていない場合は、そのＲＢにおいてＤＭＲＳを送信しない可能性がある。
【００４３】
[0057]  図４は、本開示のある特定の複数の態様に従って使用され得る、標準的なサイクリックプリフィックスの場合についての、Ｒｅｌ−１０に定義された例示的なＤＭＲＳパターン４００ａ−ｃを例示する。
【００４４】
[0058]  例示されたように、リソース要素（ＲＥ）４１０および４２０は、ＤＭＲＳ送信のために割り振られる。例示された例では、ＲＥ４１０が、符号分割多重化（ＣＤＭ）グループ１のためのＤＭＲＳを送信するために使用され、ＲＥ４２０は、ＣＤＭグループ２のためのＤＭＲＳを送信するために使用される。ＤＭＲＳパターン４００ａは、標準的なサブフレームについてのＤＭＲＳパターンを示す。パターン４００ａに示されるように、ＤＭＲＳは、標準的な（すなわち、特殊でない）サブフレームの第１のおよび第２のスロットの各々の第６のおよび第７のシンボルを占有する。ここで使用される場合、標準的なサブフレームという用語は、ＬＴＥセルが時分割複信（ＴＤＤ）構成で動作する時、ダウンリンクパイロットタイムスロット（ＤｗＰＴＳ）、つまりある特定のサブフレーム（例えば、あるサブフレーム構成に基づいた無線フレーム内の２番目のまたは７番目のサブフレーム）に通常存在する特殊ダウンリンクタイムスロット、を有さないサブフレームを指す、相対的な語である。ＤｗＰＴＳサブフレームの長さは、異なるダウンリンク−アップリンク切り替え期間が設定されることを可能にする（allow for）ために、可変である。
【００４５】
[0059]  ＤＭＲＳパターン４００ｂは、ダウンリンクのために利用可能な１１または１２個のシンボルを有する（すなわち、最後の２つまたは３つのシンボルは、受信から送信に切り替えるための時間をＵＥに許すために、ダウンリンク送信に使用されない）ＤｗＰＴＳサブフレームについての例示的なＤＭＲＳパターンを示す。この例に示されるように、ＤＭＲＳは、サブフレームの第１のおよび第２のスロットの各々の第３のおよび第４のシンボルを占有する。ＤＭＲＳパターン４００ｃは、ダウンリンクのために利用可能な９個または１０個のシンボルを有する（すなわち、最後の４つまたは５つのシンボルは、受信から送信に切り替えるための時間をＵＥに許すために、ダウンリンク送信に使用されない）ＤｗＰＴＳサブフレームについてのＤＭＲＳパターンを示す。この例に示されるように、ＤＭＲＳは、サブフレームの第１のスロットの第３、第４、第６、および第７のシンボルを占有する。
【００４６】
[0060]  レガシーシステム（例えば、Ｒｅｌ−８／９／１０）では、プライマリ同期信号（ＰＳＳ）およびセカンダリ同期信号（ＳＳＳ）が一般に、（例えば、図２に示されるように）サブフレーム０および５のみにおいてシステム帯域幅の中央の６つのＲＢ（the center six RBs）で送信される。プライマリブロードキャストチャネル（ＰＢＣＨ）はまた、一般に、システム帯域幅の中央の６つのＲＢ内でだが、サブフレーム０においてのみ、送信される。
【００４７】
[0061]  図５は、本開示のある特定の複数の態様による、ＬＴＥフレームにおけるＰＳＳ、ＳＳＳおよびＰＢＣＨについての例示的なリソース構成５００を例示する。図５に示さるように、１０ｍｓ長の１つのＬＴＥフレームは、通常各１ｍｓ長の１０個のサブフレームに分割される。各サブフレームはさらに、２つのスロット、スロット０およびスロット１に分割され得る。示されているように、ＰＳＳおよびＳＳＳは、通常５ｍｓごとに（every 5ms）サブフレーム０および５において送信される。ＰＳＳおよびＳＳＳは、サブフレーム０および５における第１のスロットの最後の２つのシンボルにおいて連続して（back to back）送信される。通常、ＳＳＳは、ＰＳＳの前に送信される。
【００４８】
[0062]  本開示のある特定の複数の態様によると、図５に示されるように、１０ｍｓの境界を差別化するために、２つのＳＳＳ信号、ＳＳＳ１（サブフレーム０）およびＳＳＳ２（サブフレーム５）は、異なる構成（arrangement）を有し得る。しかしながら、ＰＳＳのアレンジメントは一定（fixed）であり得る。ＰＢＣＨは、サブフレーム０の第２のスロットの最初の４つのシンボルにおいて１０ｍｓごとに（every 10ms）送信される。ある特定の複数の態様によれば、上に定義されたＰＳＳ／ＳＳＳ／ＰＢＣＨ構成は、周波数分割複信（ＦＤＤ）送信のために使用される。
【００４９】
[0063]  ある特定の複数の態様によれば、ＴＤＤ動作については、ＳＳＳはサブフレーム０および５の最後のシンボルにおいて送信され得、ＰＳＳはサブフレーム１および６の第３のシンボル中で送信され得る。
ＥＩＭＴＡのための効率的なダウンリンク動作
[0064]  図６は、セルがＴＤＤ構成で動作している時、ＬＴＥでサポートされる、７つの可能性のあるＤＬおよびＵＬサブフレーム構成６０２を例示する。７つのサブフレーム構成には２つの切り替え周期性（switching periodicities）６０４、５ｍｓおよび１０ｍｓがあることに留意されたい。５ｍｓの周期性（periodicity）のサブフレーム構成６０６（すなわち、構成０、１、２、および６）については、各フレーム（１０ｍｓ）には２つの特殊サブフレーム６１０、６１２が存在する。１０ｍｓの周期性サブフレーム構成６０８（すなわち、構成３、４、および５）については、各フレームには１つの特殊サブフレーム６１２が存在する。
【００５０】
[0065]  ＬＴＥ  Ｒｅｌ−１２では、実際のトラフィックの必要性（actual traffic need）に基づいて、ＴＤＤ  ＤＬ／ＵＬサブフレーム構成を動的に適応することが可能である。これは、トラフィック適応のための改良された干渉管理（ｅＩＭＴＡ）として知られている。例えば、短い持続時間の間に、ダウンリンク上で大きなデータバーストが必要な場合、セルの構成は、例えば、構成＃１（６つのＤＬサブフレームと４つのＵＬサブフレーム）から、構成＃５（９つのＤＬサブフレームと１つのＵＬサブフレーム）へ変更され得る。
【００５１】
[0066]  ＴＤＤ構成の適応は、６４０ｍｓより遅くないことが期待される。極端な場合には、適応は１０ｍｓの速さであり得る。例えば、セルは、構成＃１（６つのＤＬサブフレームと４つのＵＬサブフレーム）で動作し、セルが次のフレームで（すなわち、１０ｍｓ後に）十分な量のデータを送信することが必要であることを決定し、構成＃５（９つのＤＬサブフレームと１つのＵＬサブフレーム）へ切り替え、その量のデータをサービス提供されているＵＥへ送信し、セルが次のフレームで（すなわち、１０ｍｓ後）十分な量のデータを受信する必要があることを決定し、構成＃５を１０ｍｓの間だけ使用した後、構成＃０（４つのＤＬサブフレームと６つのＵＬサブフレーム）へ切り替え得る。しかしながら、この適応は、２つ以上のセルが異なるダウンリンクおよびアップリンクサブフレームを有する時、ダウンリンクとアップリンクとの両方に計り知れない干渉（overwhelming interference）を引き起こし得る。例えば、ＴＤＤ構成１を使用して第１のセルで動作している第１のＵＥは、ＴＤＤ構成０を使用して第２のセルにおいて動作している第２のＵＥの近くに第１のＵＥがある場合、第２のセルにおける第２のＵＥからのＵＬ送信からの干渉に起因して、サブフレーム９において第１のセルからＤＬ送信を受信することが困難であり得る。この例で、ＴＤＤ構成０を使用している第２のセルは、第１のセルからのＤＬ送信による干渉に起因して、第２のＵＥからのＵＬ送信を受信することが困難であり得る。
【００５２】
[0067]  適応は、ＤＬおよびＵＬ  ＨＡＲＱタイミング管理においてある複雑性を引き起こす。７つのＤＬ／ＵＬサブフレーム構成の各々は、それ自身のＤＬ／ＵＬ  ＨＡＲＱタイミングを有する。ＤＬ／ＵＬ  ＨＡＲＱタイミングは、（ＨＡＲＱ動作効率の観点から）各構成について最適化されるので、すなわち、ＰＤＳＣＨから対応するＡＣＫ／ＮＡＫへのタイミングは、異なるＴＤＤ  ＤＬ／ＵＬサブフレーム構成については異なる可能性がある。例えば、ＴＤＤ構成０で動作しているセル内でＤＬ送信を受信するＵＥは、ＤＬ送信を肯定応答する前に４つまたは６つのサブフレーム待ち得る一方で、ＴＤＤ構成５で動作しているセル内でＤＬ送信を受信しているＵＥは、ＤＬ送信を肯定応答するために９つまでのサブフレーム待ち得る。７つの構成（あるいは、より柔軟な適応が必要でありそうな場合はさらに多く）の間での動的な切り替えは、現在のＤＬ／ＵＬ  ＨＡＲＱタイミングが保たれる場合、ＤＬまたはＵＬ送信のうちのいくつかについて、逃された（missed）ＡＣＫ／ＮＡＫ送信機会があるであろうことを含意する。例えば、ＵＥは、ＴＤＤ構成１で動作しているセルのサブフレーム９におけるＤＬ送信を受信し、後続のフレームのサブフレーム３における送信にＡＣＫをスケジュールし得る。この例では、このセルが後続のフレームでＴＤＤ構成２へ切り替える場合、ＴＤＤ構成２ではサブフレーム３はＤＬサブフレームなので、ＵＥは、サブフレーム３においてＡＣＫを送信することができなくなることになる。
【００５３】
[0068]  ある特定の複数の態様によれば、ｅＩＭＴＡにおいて、サブフレームは、「固定（fixed）」サブフレームおよび「フレキシブル（flexible）」サブフレームとして分類されることができる。固定サブフレームは、７つのサブフレーム構成のうちの１つから、７つのサブフレーム構成のうちの別のものへ静的な方法で（in a static manner）変更することをセルが決定する場合だけを除いて、動的または半静的な方法（semi-static manner）で変更することを見込まれない。フレキシブルサブフレームは、動的な方法で変化し得る。例として、フレキシブルサブフレームの方向は、トラフィックの必要性に基づくスケジューラ決定に起因して変化し得る。別の例として、フレキシブルサブフレームの方向は、セル間および／またはセル内の干渉考慮（interference consideration）に起因して変化し得る。
【００５４】
[0069]  ある特定の複数の態様によれば、異なるセルはまた、固定サブフレームにおいて通常ＤＬからＵＬへの干渉またはＵＬからＤＬへの干渉が無いように、固定サブフレームの共通セットを共有し得る。他方で、フレキシブルサブフレームは、干渉（ＤＬからＵＬへの、またはＵＬからＤＬへの）を被り得る（subject to）。
【００５５】
[0070]  ある特定の複数の態様によれば、固定サブフレーム対フレキシブルサブフレームの指定は、シグナリングによってＵＥに示され得るか、またはそれは事前に定義され得る。例えば、ＳＩＢ１では、ブロードキャスト構成は、ＤＳＵＵＵＤＳＵＵＵ（すなわち、ＴＤＤ構成０）であり、固定サブフレームはサブフレーム０、１、２、５、６、および７であり得るとともに、一方のフレキシブルサブフレームは３、４、８、および９であり得る。
【００５６】
[0071]  ある特定の複数の態様によれば、Ｒｅｌ−１２  ＵＥは、専用のシグナリング（dedicated signaling）またはブロードキャストシグナリングによって、固定サブフレームのセットを明示的に示され得る。例えば、ＴＤＤセルで動作するＲｅｌ−１２  ＵＥは、サブフレーム０、１、２、５、６、および７が固定サブフレームであり、サブフレーム３、４、８、および９がフレキシブルサブフレームであることを示すＲＲＣシグナリングを受信し得る。
【００５７】
[0072]  ある特定の複数の態様によれば、固定サブフレームでは、セルがレガシーキャリアタイプ（ＬＣＴ）または後方互換性のあるキャリアタイプである時、ＣＲＳは、常に４つまでのＣＲＳアンテナポートで送信される。例えば、ｅＩＭＴＡ、レガシーキャリアタイプ、および標準的なサイクリックプリフィックスを使用する４つの物理アンテナを有するセルは、固定サブフレーム中で４つのアンテナポートを使用してシンボル０、１、および４においてＣＲＳを送信するが、フレキシブルサブフレームでは単一のアンテナポートのみを使用して、低減された数のＣＲＳを送信し得る。
【００５８】
[0073]  ある特定の複数の態様によれば、新しいキャリアタイプ（ＮＣＴ）を使用して送信するセルは、すべてのサブフレームにおいてはＣＲＳを送信せず、ＣＲＳポートの数は、１に固定され得る。例えば、ｅＩＭＴＡ、新しいキャリアタイプ、および標準的なサイクリックプリフィックスを使用する４つの物理アンテナを有するセルは、固定サブフレームにおいて１つのアンテナポートを使用してシンボル０、１、および４においてＣＲＳを送信し得るが、フレキシブルサブフレームにおいてはＣＲＳを送信しない可能性がある。
【００５９】
[0074]  ある特定の複数の態様によれば、ＬＣＴセルは、ＣＲＳなしでフレキシブルサブフレームを送信し得る。これは、より効率的なＤＬ動作を可能にし得、そこではＣＲＳを送信するために使用されることになったはずの送信リソースが、データを送信するために使用され得る。例えば、ＬＣＴセルは、同じフレームにおいてＣＲＳを伴う固定サブフレーム、並びにＣＲＳを伴わないフレキシブルサブフレームを送信し得る（すなわち、ＬＣＴセルは、フレキシブルサブフレームでＣＲＳを送信することを控える）。この例では、ＬＣＴセルが、フレキシブルサブフレームにおいてＤＭ−ＲＳおよび／またはＣＳＩ−ＲＳを送信し得る。
【００６０】
[0075]  ある特定の複数の態様によれば、ＬＣＴセルにおけるフレキシブルサブフレームは、レガシー制御領域を有さない可能性がある。例えば、ＬＣＴセルは、レガシー制御領域を有する固定サブフレームを送信し得、この同じセルはレガシー制御領域なしで（例えば、ＰＨＩＣＨのようなレガシー制御チャネルを送信することを控え、およびフレキシブルサブフレームにおける制御のために任意のシンボルにおいて始まるＥＰＤＣＣＨを使用して）フレキシブルサブフレームを送信し得る。
【００６１】
[0076]  ある特定の複数の態様によれば、ＬＣＴセルにおけるフレキシブルサブフレームは、ＤＭ−ＲＳベースのＥＰＤＣＣＨおよびＰＤＳＣＨ（DM-RS based EPDCCH and PDSCH）のみをサポートし得る。フレキシブルサブフレームでは、ＰＤＳＣＨおよびＥＰＤＣＣＨは、シンボル０から始まり得る。例えば、ＬＣＴセルは、固定サブフレームにおいてレガシー制御領域でのＰＤＣＣＨおよびＣＲＳベースのＰＤＳＣＨ（CRS based PDSCH）を送信し得、そしてこのＬＣＴセルは、フレキシブルサブフレームのシンボル０で始まる、フレキシブルサブフレームにおいてＤＭ−ＲＳベースのＥＰＤＣＣＨおよびＰＤＳＣＨを送信し得る。この例では、ＬＣＴセルが、フレキシブルサブフレームにおいてレガシー制御チャネル（例えば、ＰＨＩＣＨおよびＰＣＦＩＣＨ）を送信することを控え得る。
【００６２】
[0077]  ある特定の複数の態様によれば、ＣＳＩ−ＲＳは、フレキシブルサブフレーム中で、これらのフレキシブルサブフレームに対応するＣＳＩフィードバックを可能にするために、送信され得る。例えば、セルは、ＣＲＳなしでフレキシブルサブフレームを送信し得るが、ＣＳＩフィードバックがフレキシブルサブフレーム中に必要であることを決定し、フレキシブルサブフレームにおいてＣＳＩ−ＲＳを送信し得る。
【００６３】
[0078]  ある特定の複数の態様によれば、セルがｅＩＭＴＡを実行する時、ＰＤＳＣＨおよびＥＰＤＣＣＨ送信は、他の信号との衝突に起因して、いくつかのサブフレーム中のいくつかのＲＢにおいて可能でない可能性がある。例えば、ＰＤＳＣＨおよびＥＰＤＣＣＨは、中央の６つのＲＢにおけるＰＳＳの存在に起因して、いくつかのＴＤＤ  ＤＬ／ＵＬサブフレーム構成について特殊サブフレーム中で、およびサブフレーム６の中央の６つのＲＢ中で可能でない可能性がある。
【００６４】
[0079]  ある特定の複数の態様によれば、フレキシブルサブフレーム上でマルチメディアブロードキャストマルチキャストサービス（ＭＢＭＳ）をスケジュールしているセルは、対応するフレキシブルサブフレームにおいてレガシー制御領域および／またはＣＲＳを送信し得る。これらのセルは、フレキシブルサブフレーム中のＰＤＣＣＨにおいてＤＣＩフォーマット１Ｃを使用してマルチキャスト制御チャネル（ＭＣＣＨ：multicast control channel）変更（changes）を送信し得、ここでＰＤＣＣＨは、ＣＲＳに基づく。例えば、ＮＣＴおよびｅＩＭＴＡを使用して動作しているセルは、いくつかのフレキシブルサブフレーム中のシンボルから始まるＤＭ−ＲＳベースのＥＰＤＣＣＨおよびＰＤＳＣＨを送信し得る。この例では、セルが、いくつかのフレキシブルサブフレーム上でＭＢＭＳサービスをスケジュールし得、ＭＢＭＳサービスをスケジュールされたそれらのフレキシブルサブフレームにおいてＭＣＣＨ変更を伝達するＣＲＳベースのＰＤＣＣＨ（a CRS based PDCCH）およびＣＲＳを送信し得る。
【００６５】
[0080]  ある特定の複数の態様によれば、フレキシブルサブフレームにおいてＭＢＭＳサービスをスケジュールしているセルは、それらサブフレームにおいてレガシー制御領域および／またはＣＲＳを送信しない可能性がある。これらのセルは、レガシー制御領域がないので、サブフレーム全体をＭＢＭＳサービスのために使用し得る。この場合、これらのセルは、非ＭＢＭＳ、フレキシブルサブフレームまたは固定サブフレームにおいてＭＣＣＨ変更を送信し得る。例として、ＭＣＣＨ変更は、固定サブフレームにおいてＰＤＣＣＨまたはＥＰＤＣＣＨを介して送信され得るか、フレキシブルの、非ＭＢＭＳサブフレームにおいてＥＰＤＣＣＨを介して送信され得る。
【００６６】
[0081]  ある特定の複数の態様によれば、セルは、少なくとも１つのフレキシブルサブフレームがＵＥに設定されている（configured for）フレームでは、そのＵＥに対して特定のタイプの送信モードを設定しない可能性がある。ある特定の複数の態様によれば、セルは、少なくとも１つのフレキシブルサブフレームがＵＥに設定されているフレームでは、そのＵＥに対して如何なるＣＲＳベースのＤＬ送信モードも設定しない可能性がある。例えば、フレキシブルサブフレーム４および固定サブフレーム５においてＰＤＳＣＨを受信するようＵＥをスケジュールしているセルは、ＵＥを、ＤＭ−ＲＳベースのタイプのＤＬ送信モードでは設定し得るが、ＣＲＳベースのタイプのＤＬ送信モードをでは設定しない可能性がある。送信モードは、公に利用可能な「発展型ユニバーサル地上無線アクセスネットワーク（Ｅ−ＵＴＲＡＮ）；物理レイヤプロシージャ」と題された３ＧＰＰＴＳ３６．２１３に説明されている。
【００６７】
[0082]  ある特定の複数の態様によれば、セルは、あるフレームの複数の固定サブフレーム内の第１のサブフレームについて、ＵＥに第１のＤＬ送信モードを設定し得、そしてその第１のＤＬ送信モードとは異なる第２のＤＬ送信モードを、あるフレームの複数のフレキシブルサブフレーム内の第２のサブフレームについて、設定し得る。ある特定の複数の態様によれば、セルは、フレームの固定サブフレームにおいては、ＵＥにＣＲＳベースのＤＬ送信モードを、そしてフレキシブルサブフレームにおいてはその同じＵＥにＤＭ−ＲＳベースのＤＬ送信モードを設定し得る。例えば、セルは、固定サブフレームではＤＬ送信モード４、およびフレキシブルサブフレームではＤＬ送信モード１０でＵＥを設定し得る。
【００６８】
[0083]  ある特定の複数の態様によれば、第１のタイプのサブフレーム（例えば、特殊サブフレーム）、および第２のタイプのサブフレーム（例えば、標準的なサブフレーム）をフレキシブルサブフレームとしてスケジュールするセルは、第１のタイプのサブフレームにおいてレガシー制御領域とＣＲＳベースのＤＬ送信とを送信し得、そして第２のタイプのサブフレームをレガシー制御領域なしでＤＭ−ＲＳベースのＤＬ送信と共に送信し得る。例えば、ＴＤＤ構成１で動作するセルは、フレキシブルサブフレームとしてサブフレーム１および３をスケジュールし、サブフレーム１ではレガシー制御領域とＣＲＳベースのＤＬ送信とを送信し、サブフレーム３をレガシー制御領域なしでＤＭ−ＲＳベースのＤＬ送信と共に送信し得る。そうすることによって、そのセルは、プライマリまたはセカンダリ同期信号（ＰＳＳ／ＳＳＳ）とＤＭ−ＲＳとの間の衝突を防ぎ（prevent）得る。これは、ＰＳＳ／ＳＳＳとＤＭ−ＲＳとの間の衝突はそのセルによる如何なるデータ送信も防ぎ得るので、狭い帯域幅展開（bandwidth deployment）（例えば、１．４ＭＨｚ）に関して有益であり得る。送信機会の損失は、大きな帯域幅を有する展開においてよりも、狭い帯域幅展開において、ずっと大きなシステム影響を及ぼし得る。
【００６９】
[0084]  ある特定の複数の態様によれば、狭い帯域幅（例えば、１０ＭＨｚに満たない）展開におけるセルは、フレキシブルサブフレームとしてスケジュールされた特殊サブフレームにおいてレガシー制御領域およびＣＲＳベースの送信を送信し得る一方、同じシステムのより大きな帯域幅展開におけるセルは、フレキシブルサブフレームとしてスケジュールされた特殊サブフレームにおいてレガシー制御領域およびＣＲＳベースの送信を送信しないであろう。
【００７０】
[0085]  ある特定の複数の態様によれば、セルは、ＤＭ−ＲＳ送信が、フレキシブルサブフレームとしてスケジュールされた特殊サブフレーム中でＰＳＳ／ＳＳＳよってパンクチャーされる（punctured by）ことを許し（allow）得る。例えば、ＴＤＤ構成１で動作しているあるセルは、ＤＭ−ＲＳベースのＤＬ送信を含むフレキシブルサブフレームとしてサブフレーム１をスケジュールし得る。この例で、セルは、ＰＳＳまたはＳＳＳで、サブフレーム１におけるＤＭ−ＲＳのうちのいくつかをパンクチャーし得る。
【００７１】
[0086]  ある特定の複数の態様によれば、セルは、いくつかのまたはすべてのフレキシブルサブフレームの第１のシンボル（すなわち、シンボル０）でのみＣＲＳを送信し得る。セルはまた、フレキシブルサブフレームの第１のシンボルにおいてレガシー制御信号も送信し得る。例えば、ｅＩＭＴＡで動作しているセルは、フレキシブルサブフレームのシンボル０において、フレキシブルサブフレームの残りのシンボルにおいてはＤＭ−ＲＳベースのＰＤＳＣＨまたはＥＰＤＣＣＨを送信する一方で、ＣＲＳおよびレガシー制御信号を送信し得る。この例では、セルは、固定サブフレームのレガシー制御領域においてＰＤＣＣＨを、そして固定サブフレームの残りのシンボルにおいてＣＲＳおよびＣＲＳベースのＰＤＳＣＨを送信し得る。
【００７２】
[0087]  ある特定の複数の態様によれば、セルは、ＰＤＳＣＨおよびＥＰＤＣＣＨを第１のシンボルから始め得、第１のシンボルにおけるいくつかの他のレガシー制御信号／チャネルも同様である。例えば、セルは、フレキシブルサブフレームの第１のシンボルから始まるＰＣＦＩＣＨまたはＰＨＩＣＨを送信し得、制御信号／チャネルによってパンクチャーされた、またはレガシー制御信号／チャネルの周辺でレートマッチされた（rate matched around）ＰＤＳＣＨ／ＥＰＤＣＣＨを送信し得る。
【００７３】
[0088]  ある特定の複数の態様によれば、少なくともいくつかのフレキシブルサブフレームにおけるＮＣＴのような動作（NCT-like operation）は、隣接セルにおけるＵＬへのダウンリンク干渉を低減するのに役立つ。これは、ＮＣＴのような動作ではセルがより少ないＣＲＳを送信するためである。例えば、ｅＩＭＴＡおよびＮＣＴで動作しているセルは、ＤＬ動作のためにスケジュールされたフレキシブルサブフレームにおいてＣＲＳを送信しない可能性があり、それは隣り合ったセルへのＵＬ送信に対する干渉をより少なくする。
【００７４】
[0089]  ある特定の複数の態様によれば、隣接セルは、より良いｅＮＢ−ｅＮＢ干渉測定（eNB-eNB interference measurements）を行うために、ＤＬ送信を識別するためにＣＲＳに頼り得る。ｅＮＢは、レガシーキャリアタイプのＤＬ送信においてほど多くのＣＲＳを送信しないフレキシブルサブフレームにおけるＤＬ送信をｅＮＢに識別させるために、サブフレームのセットについてのＮＣＴのような動作に関する情報を、交換し得る。例えば、ｅＮＢは、そのｅＮＢがＮＣＴ  ＤＬ送信をスケジュールしているフレキシブルサブフレームのリストと、隣接するｅＮＢへの次のフレームにおけるＬＣＴ  ＤＬ送信をスケジュールしているフレキシブルサブフレームのリストとを送り得、隣接するｅＮＢは、ＮＣＴ  ＤＬ送信をスケジュールされたフレキシブルサブフレームの間にＵＬ送信をスケジュールし得る。
【００７５】
[0090]  ある特定の複数の態様によれば、セルは、フレキシブルサブフレームがＮＣＴのようなものであるかまたはＬＣＴのようなものであるか（NCT-like or LCT-like）に関するインジケーションをＵＥへ送信し得る。例えば、セルは、フレキシブルサブフレーム３、４、および８がＮＣＴのようなものであり、フレキシブルサブフレーム９がＬＣＴのようなものであることを示すＲＲＣシグナリングを送信し得る。
【００７６】
[0091]  ある特定の複数の態様によれば、ＵＥは、フレキシブルサブフレームがＮＣＴのようなものであるかまたはＬＣＴのようなものであるかを示す黙示的なインジケーション(implicit indication)を獲得し得る。例えば、ＵＥは、ｅＩＭＴＡがイネーブルされている限りはずっと、すべてのフレキシブルサブフレームをＮＣＴのようなものとして取り扱うように設定され得る。
【００７７】
[0092]  ある特定の複数の態様によれば、ＵＥは、いくつかの制限の影響下で、フレキシブルサブフレームがＮＣＴのようなものであるかまたはＬＣＴのようなものであるかを示す黙示的なインジケーションを獲得し得る。例えば、ＵＥは、ｅＩＭＴＡがイネーブルされている限りはずっと、ＮＣＴのようなものとしてすべての他のフレキシブルサブフレームを取り扱う一方、ＤＭ−ＲＳとＰＳＳ／ＳＳＳとの間の衝突があるとき、特殊サブフレームをＬＣＴのようなものとして取り扱うように設定され得る。
【００７８】
[0093]  図７は、本開示のある特定の複数の態様による、フレキシブルサブフレーム上でスケジュールされたＭＣＣＨ変更を受信するために、ユーザ装置（ＵＥ）によって実行され得る例示的な動作７００を例示する。動作７００は、７０２において、あるサブフレームのセット内で、アップリンク通信またはダウンリンク通信の何れか一方専用の１つ以上の固定サブフレームと、アップリンク通信またはダウンリンク通信の何れか一方に動的にスケジュールされ得る１つ以上のフレキシブルサブフレームとを識別することによって、始まり得る。７０４において、ＵＥは、フレキシブルサブフレームのうちの少なくとも１つがマルチメディアブロードキャスト単一周波数ネットワーク（ＭＢＳＦＮ）サブフレームとして使用されることを決定し得る。６０６において、ＵＥは、ＭＢＳＦＮサブフレームとして使用されるフレキシブルサブフレームのフォーマットに少なくとも一部基づいて、マルチキャスト制御チャネル（ＭＣＣＨ）への変更を検出し得る。
【００７９】
[0094]  ある特定の複数の態様によれば、ＭＢＳＦＮサブフレームとして使用されるフレキシブルサブフレームは、セル固有の基準信号を有する制御領域を有し得、およびＵＥは、その制御領域内で送信された制御チャネルを検出することによって、ＭＣＣＨへの変更を検出し得る。例えば、ＵＥは、フレキシブルサブフレームがＭＢＳＦＮサブフレームとしてスケジュールされていることを示すシグナリングを受信し得、ＵＥは、そのフレキシブルサブフレームのレガシー制御領域におけるＭＣＣＨへの変更を伝達するＰＤＣＣＨを復号し得る。
【００８０】
[0095]  ある特定の複数の態様によれば、ＭＢＳＦＮサブフレームとして使用されるフレキシブルサブフレームは、フレキシブルサブフレームの第１のシンボル中にのみ存在するセル固有の基準信号を有し得る。例えば、ＵＥは、ＭＢＳＦＮサブフレームとして使用されるフレキシブルサブフレームの第１のシンボル中のＣＲＳを受信し得、フレキシブルサブフレームの他のシンボル中のＭＢＳＦＮデータを受信し得る。
【００８１】
[0096]  ある特定の複数の態様によれば、ＭＢＳＦＮサブフレームとして使用されるフレキシブルサブフレームは、セル固有の基準信号を欠いている可能性があり、ＵＥは、ＭＢＳＦＮサブフレームとして使用されるフレキシブルサブフレームとは異なるサブフレームにおいて送信された制御チャネルを検出することによって、ＭＣＣＨへの変更を検出し得る。例えば、ＵＥは、固定サブフレーム２において送信された制御チャネルを検出することによってＭＣＣＨへの変更を検出し、フレキシブルサブフレーム３においてＭＢＳＦＮデータを受信し得る。
【００８２】
[0097]  ある特定の複数の態様によれば、ＵＥは、複数の固定サブフレームのうちの１つにおいて送信された物理ダウンリンク制御チャネル（ＰＤＣＣＨ）を受信することによって、ＭＣＣＨへの変更を検出し得る。
【００８３】
[0098]  ある特定の複数の態様によれば、ＵＥは、フレキシブル非ＭＢＳＦＮサブフレーム（flexible non-MBSFN subframe）または固定サブフレームにおいて送信された改良された物理ダウンリンク制御チャネル（ＥＰＤＣＣＨ）を受信することによって、ＭＣＣＨへの変更を検出し得る。
【００８４】
[0099]  ある特定の複数の態様によれば、ＵＥは、フレキシブルサブフレームが、新しいキャリアタイプ（ＮＣＴ）に対応する方法で送信された基準信号を有するか、レガシーキャリアタイプ（ＬＣＴ）に対応する方法で送信された基準信号を有するかのインジケーションを受信し得る。このインジケーションは、明示的なシグナリングによってか、またはそれとなく(implicitly)、受信され得る。例えば、ＵＥは、すべてのフレキシブルサブフレームがＮＣＴ基準信号を有するであろうことを示すＲＲＣシグナリングを受信し得る。
【００８５】
[0100]  ある特定の複数の態様によれば、ＵＥは、フレキシブルサブフレームの動的な切り替えに関わるトラフィック適応がイネーブルされていることを示すインジケーションを受信し得、ＵＥは、フレキシブルサブフレームの動的な切り替えに関わるトラフィック適応がイネーブルされているかどうかに基づいて、フレキシブルサブフレームがＮＣＴ基準信号を有するかそれともＬＣＴ基準信号を有するかを、黙示的に決定し得る。例えば、ＵＥは、フレキシブルサブフレームの動的な切り替えがイネーブルされている時、サブフレーム８および９がＬＣＴ基準信号を有する一方で、フレキシブルサブフレームの動的な切り替えがイネーブルされている時、サブフレーム３および４がＮＣＴ基準信号を有することを決定するように設定され得る。
【００８６】
[0101]  図８は、本開示のある特定の複数の態様による、フレキシブルサブフレーム上でスケジュールされたＤＬ送信を受信するためにユーザ装置（ＵＥ）によって実行され得る例示的な動作８００を例示する。動作８００は、８０２において、あるサブフレームのセット内で、アップリンク通信またはダウンリンク通信の何れか一方専用の１つ以上の固定サブフレームと、アップリンク通信またはダウンリンク通信の何れか一方に動的にスケジュールされ得る１つ以上のフレキシブルサブフレームとを識別することによって、始まり得る。８０４において、ＵＥは、ダウンリンクサブフレームとして使用されるフレキシブルサブフレームのうちの１つのために使用されるダウンリンク送信モードを決定し得る。８０６において、ＵＥは、決定されたダウンリンク送信モードに従ってダウンリンクサブフレームとして使用されるフレキシブルサブフレームを処理し得る。
【００８７】
[0102]  ある特定の複数の態様によれば、ＵＥは、１つ以上のダウンリンク送信モードが固定サブフレームのために許され得る（allowed for）こと、および１つ以上の他のダウンリンク送信モードがフレキシブルサブフレームのために許され得ることを決定し得る。例えば、ＵＥは、ＲＲＣシグナリングから、送信モード１−７だけが固定サブフレームのために許され得、送信モード８−１０はフレキシブルサブフレームのために許され得ることを決定し得る。
【００８８】
[0103]  ある特定の複数の態様によれば、ＵＥは、固定サブフレームのために許され得るダウンリンク送信モードがセル固有の基準信号に基づき得、フレキシブルサブフレームのために許され得るダウンリンク送信モードが復調基準信号に基づき得ることを決定し得る。
【００８９】
[0104]  ある特定の複数の態様によれば、ＵＥは、セル固有の基準信号に基づくダウンリンク送信モードは、あるフレームにおいて、少なくとも１つのフレキシブルサブフレームが存在する限り、許されない可能性があることを決定し得る。例えば、ＵＥは、あるフレーム中にフレキシブルサブフレームがある場合、セル固有の基準信号はそのフレームにおいて許されないことをＲＲＣシグナリングに基づいて決定し得る。
【００９０】
[0105]  ある特定の複数の態様によれば、ＵＥは、フレキシブルサブフレームの第１のシンボルにのみ存在するセル固有の基準信号をフレキシブルサブフレームが有することを決定し得る。
【００９１】
[0106]  ある特定の複数の態様によれば、ＵＥは、フレキシブルサブフレームのうちの１つが１つ以上の同期信号と復調基準信号との間の衝突を伴う特殊サブフレームであることを決定し得る。ＵＥは、セル固有の基準信号に基づくダウンリンク送信モードに基づいて特殊サブフレームを処理し得る。例えば、ＵＥは、サブフレーム１が狭い帯域幅システムにおける特殊サブフレームであることを決定し得、ＤＭ−ＲＳがサブフレーム１でＰＳＳまたはＳＳＳと衝突することを決定し得、そしてセル固有の基準信号に基づいたＤＬ送信モードを使用して、そのサブフレームを処理し得る。
【００９２】
[0107]  ある特定の複数の態様によれば、ＵＥは、複数のフレキシブルサブフレームのうちの１つが、１つ以上の同期信号によってパンクチャーされた復調基準信号を有する特殊サブフレームであることを決定し得、そしてその特殊サブフレームを、その復調基準信号に基づいたダウンリンク送信モードに基づいて処理し得る。例えば、ＵＥは、サブフレーム１が狭い帯域幅システムにおける特殊サブフレームであることを決定し得、あるＤＭ−ＲＳがサブフレーム１においてＰＳＳまたはＳＳＳによってパンクチャーされていることを決定し得、そしてＰＳＳまたはＳＳＳによってパンクチャーされていないＤＭ−ＲＳに基づいたＤＬ送信モードを使用して、そのサブフレームを処理し得る。
【００９３】
[0108]  ある特定の複数の態様によれば、ＵＥは、フレキシブルサブフレームが、新しいキャリアタイプ（ＮＣＴ）に対応する方法で送信された基準信号を有するか、レガシーキャリアタイプ（ＬＣＴ）に対応する方法で送信された基準信号を有するかのインジケーションを受信し得る。例えば、ＵＥは、フレキシブルサブフレーム３および４がＮＣＴ基準信号を有し、フレキシブルサブフレーム８および９がＬＣＴ基準信号を有することを示すＲＲＣシグナリングを受信し得る。
【００９４】
[0109]  ある特定の複数の態様によれば、ＵＥは、フレキシブルサブフレームの動的な切り替えに関わるトラフィック適応がイネーブルされていることを示すインジケーションを受信し得る。フレキシブルサブフレームの動的な切り替えは、フレキシブルサブフレームが、新しいキャリアタイプ（ＮＣＴ）に対応する方法で送信された基準信号を有するか、レガシーキャリアタイプ（ＬＣＴ）に対応する方法で送信された基準信号を有するかを、黙示的に示し得る。例えば、ＵＥは、フレキシブルサブフレームの動的な切り替えがイネーブルされていることを示すＲＲＣシグナリングを受信し得る。ＵＥは、フレキシブルサブフレームの動的な切り替えがイネーブルされる時はＮＣＴ基準信号と共に送信されているものとしてフレキシブルサブフレームを取り扱うように事前設定され得る。
【００９５】
[0110]  図９は、本開示のある特定の複数の態様による、フレキシブルサブフレーム上でスケジュールされたＭＢＳＦＮおよび特殊サブフレームを受信するためにユーザ装置（ＵＥ）によって実行され得る例示的な動作９００を例示する。動作９００は、９０２において、あるサブフレームのセット内で、それらの方向が動的に適応されない可能性がある１つ以上の固定サブフレームと、それらの方向が動的に適応され得る１つ以上のフレキシブルサブフレームとを識別することによって、始まり得る。９０４において、ＵＥは、１つ以上のフレキシブルサブフレーム中の少なくとも１つのサブフレームについての構造が、マルチメディアブロードキャスト単一周波数ネットワーク（ＭＢＳＦＮ）サブフレームに基づくことを決定し得る。９０６において、ＵＥは、その決定に基づいて、１つ以上のフレキシブルサブフレーム中の少なくとも１つのサブフレームを処理し得る。
【００９６】
[0111]  ある特定の複数の態様によれば、サブフレーム方向の動的な適応は、ダウンリンクサブフレーム、アップリンクサブフレーム、または特殊サブフレームのうちの１つから選ばれるあるサブフレーム方向を、ダウンリンクサブフレーム、アップリンクサブフレーム、または特殊サブフレームのうちの１つから選ばれる異なるサブフレーム方向へと変更することを含み得る。
【００９７】
[0112]  ある特定の複数の態様によれば、１つ以上の固定サブフレームと１つ以上の動的なサブフレームとの識別は、ブロードキャストシグナリングとＵＥ固有のシグナリングとのうちの少なくとも１つに基づき得る。
【００９８】
[0113]  ある特定の複数の態様によれば、構造の決定は、そのＵＥに固有のシグナリングに基づき得る。
【００９９】
[0114]  ある特定の複数の態様によれば、ＭＢＳＦＮサブフレームは、少なくとも１つのセル固有の基準信号（ＣＲＳ）を搬送するレガシー制御領域、およびＣＲＳを搬送しない非制御領域を備え得る。
【０１００】
[0115]  ある特定の複数の態様によれば、ＵＥは、ダウンリンク送信についてＵＥ固有の復調基準信号（ＤＭ−ＲＳ）を利用するダウンリンク送信モードを決定し得る。ＵＥは、その決定されたＤＬ送信モードを使用して１つ以上のＤＬ送信を受信し得る。
[0116]  ある特定の複数の態様によれば、ＵＥは、物理ダウンリンク共有チャネル（ＰＤＳＣＨ）または改良された物理ダウンリンク制御チャネル（ＥＰＤＣＣＨ）のうちの少なくとも１つについて、１つ以上のフレキシブルサブフレーム中の少なくとも１つのサブフレームにおける開始シンボル（starting symbol）を決定し得る。
【０１０１】
[0117]  ある特定の複数の態様によれば、１つ以上のフレキシブルサブフレームは、少なくとも２つの異なるサブフレームのタイプを備え得、ここで１つのサブフレームのタイプは、１つ以上のフレキシブルサブフレーム中にあるようなセル固有の基準信号（ＣＲＳ）を有し、もう一つのサブフレームのタイプは低減されたＣＲＳを有するかまたはＣＲＳを有さない。
【０１０２】
[0118]  ある特定の複数の態様によれば、ＵＥは、フレキシブルサブフレームをマルチメディアブロードキャスト単一周波数ネットワーク（ＭＢＳＦＮ）サブフレームまたは特殊サブフレームと識別し、別のサブフレームを１つ以上の他のタイプのサブフレームと識別し得る。
【０１０３】
[0119]  ある特定の複数の態様によれば、ＵＥは、マルチメディアブロードキャスト単一周波数ネットワーク（ＭＢＳＦＮ）サブフレームの第１のシンボル内にのみセル固有の基準信号が存在することを決定し得る。例えば、ＵＥは、ＭＢＳＦＮサブフレームの第１のシンボルがセル固有の基準信号を有することを決定し得、ＭＢＳＦＮサブフレームの他のすべてのシンボルはＭＢＳＦＮデータを伝達するものと解釈し得る。
【０１０４】
[0120]  ある特定の複数の態様によれば、ＵＥは、フレキシブルサブフレームが特殊サブフレームであり、セル固有の基準信号はその特殊サブフレームの１つ以上のシンボル中にあることを決定し得る。例えば、ＵＥは、フレキシブルサブフレーム１は特殊サブフレームであり、セル固有の基準信号はその特殊サブフレームのシンボル３および４にあることを決定し得る。
【０１０５】
[0121]  ある特定の複数の態様によれば、ＵＥは、物理ダウンリンク共有チャネル（ＰＤＳＣＨ）または改良された物理ダウンリンク制御チャネル（ＥＰＤＣＣＨ）のうちの少なくとも１つについて開始シンボルを決定し得る。例えば、ＵＥは、フレキシブルサブフレームにおいてＤＬ送信を受信し得、ＥＰＤＣＣＨがサブフレームのシンボル０で開始することを決定し得る。
【０１０６】
[0122]  ある特定の複数の態様によれば、ＵＥは、改良された物理ダウンリンク制御チャネル（ＥＰＤＣＣＨ）または物理ダウンリンク共有チャネル（ＰＤＳＣＨ）の開始シンボルが、第１のサブフレーム中の第１のシンボルにあり得ることを決定し得る。
【０１０７】
[0123]  ある特定の複数の態様によれば、ＵＥは、改良された物理ダウンリンク制御チャネル（ＥＰＤＣＣＨ）または物理ダウンリンク共有チャネル（ＰＤＳＣＨ）の開始シンボルが、第２のサブフレーム中の第２のシンボル以降（no earlier than）であり得ることを決定し得る。例えば、ＵＥは、第２のサブフレームがシンボル０にレガシー制御チャネルおよびＣＲＳを有すること、およびそのサブフレーム中のＰＤＳＣＨが、シンボル１以降であることを決定し得る。
【０１０８】
[0124]  ある特定の複数の態様によれば、ＵＥは、第１のサブフレーム中にレガシー制御チャネルまたは信号が無いこと、第２のサブフレーム中にレガシー制御チャネルまたは信号があることを決定し得る。
【０１０９】
[0125]  ある特定の複数の態様によれば、ＵＥは、第１のサブフレームが、物理制御フォーマットインジケーションチャネル（ＰＣＦＩＣＨ）、物理ハイブリッドＡＲＱインジケータチャネル（ＰＨＩＣＨ）、または物理ダウンリンク制御チャネル（ＰＤＣＣＨ）を含むことを決定し得る。
【０１１０】
[0126]  図１０−１２は、図７−９のそれぞれにおけるユーザ装置（ＵＥ）によって実行される動作を補完する基地局（ＢＳ）によって実行され得る動作を説明する。
【０１１１】
[0127]  図１０は、本開示のある特定の複数の態様による、フレキシブルサブフレーム上でスケジュールされたＭＣＣＨ変更を送信するために基地局（ＢＳ）によって実行され得る例示的な動作１０００を例示する。動作１０００は、１００２において、あるサブフレームのセット内で、アップリンク通信またはダウンリンク通信の何れか一方専用の１つ以上の固定サブフレームと、アップリンク通信またはダウンリンク通信の何れか一方のために動的に管理され得る１つ以上のフレキシブルサブフレームとを識別するＢＳを用いて、始まり得る。１００４において、ＢＳは、フレキシブルサブフレームのうちの少なくとも１つを使用してマルチメディアブロードキャスト単一周波数ネットワーク（ＭＢＳＦＮ）サブフレームを送信し得る。１００６において、ＢＳは、ＭＢＳＦＮサブフレームとして使用されるフレキシブルサブフレームのフォーマットに少なくとも一部基づいて、マルチキャスト制御チャネル（ＭＣＣＨ）への変更を示し得る。
【０１１２】
[0128]  図１１は、本開示のある特定の複数の態様による、フレキシブルサブフレーム上でスケジュールされたＤＬ送信を送信するために基地局（ＢＳ）によって実行され得る例示的な動作１１００を例示する。動作１１００は、１１０２において、あるサブフレームのセット内で、アップリンク通信またはダウンリンク通信の何れか一方専用の１つ以上の固定サブフレームと、アップリンク通信またはダウンリンク通信の何れか一方のために動的に管理され得る１つ以上のフレキシブルサブフレームとを識別するＢＳを用いて、始まり得る。１１０４において、ＢＳは、ダウンリンクサブフレームとして使用されるフレキシブルサブフレームのうちの１つのために使用されることになるダウンリンク送信モードを決定し得る。１１０６において、ＢＳは、決定されたダウンリンク送信モードに従ってダウンリンクサブフレームとして使用されるフレキシブルサブフレーム中で送信し得る。
【０１１３】
[0129]  図１２は、本開示のある特定の複数の態様による、フレキシブルサブフレーム上でスケジュールされる特殊サブフレームおよびＭＢＳＦＮを送信するために基地局（ＢＳ）によって実行され得る例示的な動作１２００を例示する。動作１２００は、１２０２において、あるサブフレームのセット内で、それらの方向が動的に適応されない可能性がある１つ以上の固定サブフレームと、それらの方向が動的に適応され得る１つ以上のフレキシブルサブフレームとを識別するＢＳを用いて、始まり得る。１２０４において、ＢＳは、１つ以上のフレキシブルサブフレーム中の少なくとも１つのサブフレームについての構造が、マルチメディアブロードキャスト単一周波数ネットワーク（ＭＢＳＦＮ）サブフレームに基づくことを決定し得る。１２０６において、ＢＳは、その決定に基づいて、１つ以上のフレキシブルサブフレーム中の少なくとも１つのサブフレームを処理し得る。
【０１１４】
[0130]  ある特定の複数の態様によれば、サブフレーム方向の動的な適応は、ダウンリンクサブフレーム、アップリンクサブフレーム、または特殊サブフレームのうちの１つから選ばれるあるサブフレーム方向を、ダウンリンクサブフレーム、アップリンクサブフレーム、または特殊サブフレームのうちの１つから選ばれる異なるサブフレーム方向へと変更することを含み得る。
【０１１５】
[0131]  ある特定の複数の態様によれば、ＢＳは、あるサブフレームのセット内で１つ以上の固定サブフレームと１つ以上の動的なサブフレームとを識別するシグナリングを送信し得る。
【０１１６】
[0132]  ある特定の複数の態様によれば、ＢＳは、１つ以上のフレキシブルサブフレーム中の少なくとも１つのサブフレームについての構造がＭＢＳＦＮサブフレームに基づくことを示すＵＥ固有のシグナリングを送信し得る。
【０１１７】
[0133]  ある特定の複数の態様によれば、ＭＢＳＦＮサブフレームは、少なくとも１つのセル固有の基準信号（ＣＲＳ）を搬送するレガシー制御領域と、ＣＲＳを搬送しない非制御領域とを備え得る。
【０１１８】
[0134]  ある特定の複数の態様によれば、ＢＳは、ダウンリンク送信についてＵＥ固有の復調基準信号（ＤＭ−ＲＳ）を利用するダウンリンク送信モードを決定し得る。
【０１１９】
[0135]  ある特定の複数の態様によれば、ＢＳは、物理ダウンリンク共有チャネル（ＰＤＳＣＨ）または改良された物理ダウンリンク制御チャネル（ＥＰＤＣＣＨ）のうちの少なくとも１つについて１つ以上のフレキシブルサブフレーム中の少なくとも１つのサブフレームにおける開始シンボルを決定し得る。
【０１２０】
[0136]  当業者は、情報および信号は、多様な異なる技術および技法のうちの何れを使用しても表され得ることを理解するだろう。例えば、上の説明を通して言及され得たデータ、命令、コマンド、情報、信号、ビット、シンボルおよびチップは、電圧、電流、電磁波、磁場または磁性粒子、光場または光粒子、あるいはそれらの任意の組み合わせによって表され得る。
【０１２１】
[0137]  当業者は、さらに、本開示に関連して説明された様々な例示的な論理ブロック、モジュール、回路、およびアルゴリズムステップは、電子ハードウェア、コンピュータソフトウェア、またはその両方の組み合わせとして実現され得ることを認識するだろう。ハードウェアおよびソフトウェアのこの互換性を明確に例示するために、様々な例示的なコンポーネント、ブロック、モジュール、回路、およびステップが、一般にそれらの機能性の観点から上に説明されている。このような機能性が、ハードウェアとして実現されるかまたはソフトウェアとして実現されるかは、特定のアプリケーションおよびシステム全体に課せられた設計制約に依存する。当業者は、説明された機能を特定のアプリケーションごとに様々な方法で実現し得るが、このような実現の決定は、本開示の範囲からの逸脱を生じるものと解釈されるべきではない。
【０１２２】
[0138]  本開示に関連して説明された様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいはここに説明された機能を実行するように設計されたそれらの任意の組み合わせを用いて実現または実行され得る。汎用プロセッサは、マイクロプロセッサであり得るが、別の方法では、プロセッサが、任意の従来のプロセッサ、コントローラ、マイクロコントローラ、またはステートマシンであり得る。プロセッサはまた、コンピューティングデバイスの組み合わせ、例えば、ＤＳＰと１つのマイクロプロセッサ、複数のマイクロプロセッサ、ＤＳＰコアと連結した１つ以上のマイクロプロセッサ、または任意の他のそのような構成、との組み合わせとしても実現され得る。
【０１２３】
[0139]  本開示に関連して説明された方法またはアルゴリズムのステップは、ハードウェアで直接的に、プロセッサによって実行されるソフトウェア／ファームウェアモジュールで、またはその両者の組み合わせで具現化され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバルディスク、ＣＤ−ＲＯＭ、または当技術で知られている任意の他の形態の記憶媒体内に存在し得る。例示的な記憶媒体は、プロセッサが記憶媒体から情報を読み出すことができるように、および／または記憶媒体へ情報を書き込むことができるように、プロセッサに結合されている。別の方法では、記憶媒体がプロセッサと一体化され得る。プロセッサおよび記憶媒体は、ＡＳＩＣ内に存在し得る。ＡＳＩＣは、ユーザ端末内に存在し得る。別の方法では、プロセッサおよび記憶媒体が、ユーザ端末内のディスクリートコンポーネントとして存在し得る。通常、図に例示された動作がある場合、それらの動作は、同様の番号を有する、対応するカウンターパートのミーンズプラスファンクションコンポーネントを有し得る。
【０１２４】
[0140]１つ以上の例示的設計では、説明された機能が、ハードウェア、ソフトウェア／ファームウェア、またはそれらの組み合わせで実現され得る。ソフトウェア／ファームウェアで実現される場合、機能は、コンピュータ読み取り可能な媒体上の１つ以上の命令またはコードとして記憶または送信され得る。コンピュータ読み取り可能な媒体は、１つの場所から別の場所へのコンピュータプログラムの転送を容易にする任意の媒体を含む、コンピュータ記憶媒体および通信媒体の両方を含む。記憶媒体は、汎用コンピュータまたは専用コンピュータによりアクセスされることができる任意の利用可能な媒体であり得る。限定ではなく例として、そのようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用されることができ、かつ、汎用コンピュータまたは専用コンピュータあるいは汎用プロセッサまたは専用プロセッサによってアクセスされることができる任意の他の媒体を含むことができる。また、いかなる接続もコンピュータ読み取り可能な媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、それら同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイディスクを含み、ここでディスク（disk）は、通常磁気的にデータを再生し、一方ディスク（disc）は、レーザーを用いて光学的にデータを再生する。上記の組み合わせもまた、コンピュータ読み取り可能な媒体の範囲内に含まれるべきである。
【０１２５】
[0141]  本開示の先の説明は、如何なる当業者も本開示を製造するまたは使用できるように提供されている。本開示への様々な修正は、当業者にとって容易に明らかであろうし、ここに定義された一般的な原理は、本開示の精神または範囲から逸脱することなく、他のバリエーションにも適用され得る。したがって、本開示は、ここに説明された例および設計に限定されるようには意図されておらず、ここに開示された原理および新規な特徴と一致する最も広い範囲を与えられるべきである。
以下に、本願出願の当初の特許請求の範囲に記載された発明を付記する。
［Ｃ１］
ユーザ装置（ＵＥ）によるワイヤレス通信のための方法であって、
あるサブフレームのセット内で、それらの方向が動的に適応されない可能性がある１つ以上の固定サブフレームと、それらの方向が動的に適応され得る１つ以上のフレキシブルサブフレームとを識別することと、
前記１つ以上のフレキシブルサブフレーム中の少なくとも１つのサブフレームについての構造が、マルチメディアブロードキャスト単一周波数ネットワーク（ＭＢＳＦＮ）サブフレームに基づくことを決定することと、
前記決定に基づいて、前記１つ以上のフレキシブルサブフレーム中の前記少なくとも１つのサブフレームを処理することと、
を備える、方法。
［Ｃ２］
サブフレーム方向の前記動的な適応は、ダウンリンクサブフレーム、アップリンクサブフレーム、または特殊サブフレームのうちの１つから選ばれるあるサブフレーム方向を、ダウンリンクサブフレーム、アップリンクサブフレーム、または特殊サブフレームのうちの１つから選ばれる異なるサブフレーム方向へと変更することを含む、Ｃ１に記載の方法。
［Ｃ３］
前記１つ以上の固定サブフレームと前記１つ以上のフレキシブルサブフレームとを前記識別することは、ブロードキャストシグナリングとＵＥ固有のシグナリングとのうちの少なくとも１つに基づく、Ｃ１に記載の方法。
［Ｃ４］
前記決定は、前記ＵＥに固有のシグナリングに基づく、Ｃ１に記載の方法。
［Ｃ５］
前記ＭＢＳＦＮサブフレームは、少なくとも１つのセル固有の基準信号（ＣＲＳ）を搬送するレガシー制御領域、および前記ＣＲＳを搬送しない非制御領域を備える、Ｃ１に記載の方法。
［Ｃ６］
ダウンリンク送信についてＵＥ固有の復調基準信号（ＤＭ−ＲＳ）を利用するダウンリンク送信モードを決定することをさらに備える、Ｃ１に記載の方法。
［Ｃ７］
物理ダウンリンク共有チャネル（ＰＤＳＣＨ）または改良された物理ダウンリンク制御チャネル（ＥＰＤＣＣＨ）のうちの少なくとも１つに関して、前記１つ以上のフレキシブルサブフレーム中の前記少なくとも１つのサブフレーム中の開始シンボルを決定することをさらに備える、Ｃ１に記載の方法。
［Ｃ８］
前記１つ以上のフレキシブルサブフレームは、少なくとも２つの異なるサブフレームのタイプを備え、ここにおいて、１つのサブフレームのタイプは、前記１つ以上のフレキシブルサブフレームにあるようなセル固有の基準信号（ＣＲＳ）を有し、および別のサブフレームのタイプは、低減されたＣＲＳを有するかまたはＣＲＳを有さない、Ｃ１に記載の方法。
［Ｃ９］
基地局（ＢＳ）によるワイヤレス通信のための方法であって、
あるサブフレームのセット内で、それらの方向が動的に適応されない可能性がある１つ以上の固定サブフレームと、それらの方向が動的に適応され得る１つ以上のフレキシブルサブフレームとを識別することと、
前記１つ以上のフレキシブルサブフレーム中の少なくとも１つのサブフレームについての構造が、マルチメディアブロードキャスト単一周波数ネットワーク（ＭＢＳＦＮ）サブフレームに基づくことを決定することと、
前記決定に基づいて、前記１つ以上のフレキシブルサブフレーム中の前記少なくとも１つのサブフレームを処理することと、
を備える、方法。
［Ｃ１０］
サブフレーム方向の前記動的な適応は、ダウンリンクサブフレーム、アップリンクサブフレーム、または特殊サブフレームのうちの１つから選ばれるあるサブフレーム方向を、ダウンリンクサブフレーム、アップリンクサブフレーム、または特殊サブフレームのうちの１つから選ばれる異なるサブフレーム方向へと変更することを含む、Ｃ９に記載の方法。
［Ｃ１１］
前記サブフレームのセット内で、前記１つ以上の固定サブフレームと前記１つ以上のフレキシブルサブフレームとを識別するシグナリングを送信することをさらに備える、Ｃ９に記載の方法。
［Ｃ１２］
前記１つ以上のフレキシブルサブフレーム中の前記少なくとも１つのサブフレームについての前記構造が、前記ＭＢＳＦＮサブフレームに基づくことを示すＵＥ固有のシグナリングを送信することをさらに備える、Ｃ９に記載の方法。
［Ｃ１３］
前記ＭＢＳＦＮサブフレームは、少なくとも１つのセル固有の基準信号（ＣＲＳ）を搬送するレガシー制御領域、および前記ＣＲＳを搬送しない非制御領域を備える、Ｃ９に記載の方法。
［Ｃ１４］
ダウンリンク送信についてＵＥ固有の復調基準信号（ＤＭ−ＲＳ）を利用するダウンリンク送信モードを決定することをさらに備える、Ｃ９に記載の方法。
［Ｃ１５］
物理ダウンリンク共有チャネル（ＰＤＳＣＨ）または改良された物理ダウンリンク制御チャネル（ＥＰＤＣＣＨ）のうちの少なくとも１つに関して、前記１つ以上のフレキシブルサブフレーム中の前記少なくとも１つのサブフレーム中の開始シンボルを決定することをさらに備える、Ｃ９に記載の方法。
［Ｃ１６］
ワイヤレス通信のための装置であって、
あるサブフレームのセット内で、それらの方向が動的に適応されない可能性がある１つ以上の固定サブフレームと、それらの方向が動的に適応され得る１つ以上のフレキシブルサブフレームとを識別することと、
前記１つ以上のフレキシブルサブフレーム中の少なくとも１つのサブフレームについての構造は、マルチメディアブロードキャスト単一周波数ネットワーク（ＭＢＳＦＮ）サブフレームに基づくことを決定することと、
前記決定に基づいて、前記１つ以上のフレキシブルサブフレーム中の前記少なくとも１つのサブフレームを処理することと、
を行うように構成される、プロセッサと、
前記プロセッサに結合されたメモリと
を備える、装置。
［Ｃ１７］
サブフレーム方向の前記動的な適応は、ダウンリンクサブフレーム、アップリンクサブフレーム、または特殊サブフレームのうちの１つから選ばれるあるサブフレーム方向を、ダウンリンクサブフレーム、アップリンクサブフレーム、または特殊サブフレームのうちの１つから選ばれる異なるサブフレーム方向へと変更することを含む、Ｃ１６に記載の装置。
［Ｃ１８］
前記１つ以上の固定サブフレームと前記１つ以上のフレキシブルサブフレームとを前記識別することは、ブロードキャストシグナリングとＵＥ固有のシグナリングとのうちの少なくとも１つに基づく、Ｃ１６に記載の装置。
［Ｃ１９］
前記決定は、ＵＥに固有のシグナリングに基づく、Ｃ１６に記載の装置。
［Ｃ２０］
前記ＭＢＳＦＮサブフレームは、少なくとも１つのセル固有の基準信号（ＣＲＳ）を搬送するレガシー制御領域、および前記ＣＲＳを搬送しない非制御領域を備える、Ｃ１６に記載の装置。
［Ｃ２１］
前記プロセッサは、ダウンリンク送信についてＵＥ固有の復調基準信号（ＤＭ−ＲＳ）を利用するダウンリンク送信モードを決定するようにさらに構成される、Ｃ１６に記載の装置。
［Ｃ２２］
前記プロセッサは、物理ダウンリンク共有チャネル（ＰＤＳＣＨ）または改良された物理ダウンリンク制御チャネル（ＥＰＤＣＣＨ）のうちの少なくとも１つに関して、前記１つ以上のフレキシブルサブフレーム中の前記少なくとも１つのサブフレーム中の開始シンボルを決定するようにさらに構成される、Ｃ１６に記載の装置。
［Ｃ２３］
前記１つ以上のフレキシブルサブフレームは、少なくとも２つの異なるサブフレームのタイプを備え、ここで、１つのサブフレームのタイプは、前記１つ以上のフレキシブルサブフレームにあるようなセル固有の基準信号（ＣＲＳ）を有し、および別のサブフレームのタイプは、低減されたＣＲＳを有するかまたはＣＲＳを有さない、Ｃ１６に記載の装置。
［Ｃ２４］
ワイヤレス通信のための装置であって、
あるサブフレームのセット内で、それらの方向が動的に適応されない可能性がある１つ以上の固定サブフレームと、アップリンク通信またはダウンリンク通信の何れか一方のために動的に管理され得る１つ以上のフレキシブルサブフレームとを識別することと、
前記１つ以上のフレキシブルサブフレーム中の少なくとも１つのサブフレームについての構造が、マルチメディアブロードキャスト単一周波数ネットワーク（ＭＢＳＦＮ）サブフレームに基づくことを決定することと、
前記決定に基づいて、前記１つ以上のフレキシブルサブフレーム中の前記少なくとも１つのサブフレームを処理することと、
を行うように構成される、プロセッサと、
前記プロセッサに結合されたメモリと
を備える、装置。
［Ｃ２５］
サブフレーム方向の前記動的な適応は、ダウンリンクサブフレーム、アップリンクサブフレーム、または特殊サブフレームのうちの１つから選ばれるあるサブフレーム方向を、ダウンリンクサブフレーム、アップリンクサブフレーム、または特殊サブフレームのうちの１つから選ばれる異なるサブフレーム方向へと変更することを含む、Ｃ２４に記載の装置。
［Ｃ２６］
前記プロセッサは、前記サブフレームのセット内で、前記１つ以上の固定サブフレームと前記１つ以上のフレキシブルサブフレームとを識別するシグナリングを送信するようにさらに構成される、Ｃ２４に記載の装置。
［Ｃ２７］
前記プロセッサは、前記１つ以上のフレキシブルサブフレーム中の前記少なくとも１つのサブフレームについての前記構造が、前記ＭＢＳＦＮサブフレームに基づくことを示すＵＥ固有のシグナリングを送信するようにさらに構成される、Ｃ２４に記載の装置。
［Ｃ２８］
前記ＭＢＳＦＮサブフレームは、少なくとも１つのセル固有の基準信号（ＣＲＳ）を搬送するレガシー制御領域、および前記ＣＲＳを搬送しない非制御領域を備える、Ｃ２４に記載の装置。
［Ｃ２９］
前記プロセッサは、ダウンリンク送信についてＵＥ固有の復調基準信号（ＤＭ−ＲＳ）を利用するダウンリンク送信モードを決定するようにさらに構成される、Ｃ２４に記載の装置。
［Ｃ３０］
前記プロセッサは、物理ダウンリンク共有チャネル（ＰＤＳＣＨ）または改良された物理ダウンリンク制御チャネル（ＥＰＤＣＣＨ）のうちの少なくとも１つに関して、前記１つ以上のフレキシブルサブフレーム中の前記少なくとも１つのサブフレーム中の開始シンボルを決定するようにさらに構成される、Ｃ２４に記載の装置。
【図１】
0006392326.tif 000002
【図２】
0006392326.tif 000003
【図２Ａ】
0006392326.tif 000004
【図３】
0006392326.tif 000005
【図４】
0006392326.tif 000006
【図５】
0006392326.tif 000007
【図６】
0006392326.tif 000008
【図７】
0006392326.tif 000009
【図８】
0006392326.tif 000010
【図９】
0006392326.tif 000011
【図１０】
0006392326.tif 000012
【図１１】
0006392326.tif 000013
【図１２】
0006392326.tif 000014